(57)【要約】本発明は衣類処理装置に関する。前方に開口部を備えるキャビネット；前記開口部を開閉するドアアセンブリ；前記キャビネット内に備えられて衣類が収容される空間を提供し、前記開口部を介して前記キャビネット外部と連通する第１衣類処理室；及び前記第１衣類処理室にスチーム又は空気を循環させる機械室を含み、前記ドアアセンブリは、前記キャビネットの開放した前面を開閉し、内部に第２衣類処理室の空間を形成するアセンブリハウジングと、前記アセンブリハウジングに形成された第２衣類処理室を前記キャビネットの前方に開閉するアセンブリドアを含む。
2021517494.tif 000002
【特許請求の範囲】
【請求項１】
衣類処理装置であって、
前方に開口部を備えるキャビネット；
前記開口部を開閉するドアアセンブリ；
前記キャビネット内に備えられて衣類が収容される空間を提供し、前記開口部を介して前記キャビネット外部と連通する第１衣類処理室；及び
前記第１衣類処理室と連通して前記第１衣類処理室にスチームを供給するスチーム供給部と空気を循環させる空気供給部のうちのいずれか１つが配置される機械室；を備えてなり、
前記ドアアセンブリは、
前記開口部を開閉するアセンブリハウジング；
前記アセンブリハウジング内に形成されて衣類が収容される空間を提供する第２衣類処理室；及び
前記第２衣類処理室を前記キャビネットの前方に開閉する前記アセンブリハウジングに備えられたアセンブリドア；を備え、
前記アセンブリハウジング及び前記アセンブリドアのうちのいずれか１つの内側面には前記第２衣類処理室に配置された衣類を支持するベース板が配置され、
前記アセンブリハウジング及び前記アセンブリドアのうちの他の内側面には前記ベース板に密着して衣類を押圧するプレス板が配置される、衣類処理装置。
【請求項２】
さらに前記プレス板を加熱する加熱装置を備える、請求項１に記載の衣類処理装置。
【請求項３】
前記加熱装置は外部の電源から電気が供給されて熱を発生させるプレス板電熱器を含み、
前記プレス板電熱器は前記プレス板の内側に配置される、請求項２に記載の衣類処理装置。
【請求項４】
前記ドアアセンブリを前記キャビネットに回転自在に連結するキャビネットヒンジ部；
前記アセンブリドアを前記アセンブリハウジングに回転自在に連結するアセンブリヒンジ部；及び
前記キャビネットヒンジ部と前記アセンブリヒンジ部を内部を介して前記スチーム供給部で発生したスチームを前記第２衣類処理室に供給するか又は前記第２衣類処理室の空気を排気するスチーム流動部を更に備える、請求項１に記載の衣類処理装置。
【請求項５】
前記ドアアセンブリ内に配置され、前記キャビネットヒンジ部と前記アセンブリヒンジ部を連結する連結管を更に備える、請求項４に記載の衣類処理装置。
【請求項６】
前記連結管は、前記アセンブリヒンジ部の内側に挿入され、前記アセンブリヒンジ部に接する周り面の一側でスチームが流動するように開口した連結管孔が形成され、
前記アセンブリヒンジ部は、前記連結管に接する周り面の一側でスチームが流動するように開口したアセンブリヒンジ部孔が形成され、前記アセンブリドアと共に回転する、請求項５に記載の衣類処理装置。
【請求項７】
前記アセンブリドアが前記第２衣類処理室を閉じるとき、前記連結管孔と前記アセンブリヒンジ部孔が同じ方向に配置される、請求項６に記載の衣類処理装置。
【請求項８】
前記アセンブリドアが前記第２衣類処理室を開放するとき、前記連結管孔と前記アセンブリヒンジ部孔が互いに異なる方向に配置される、請求項６に記載の衣類処理装置。
【請求項９】
前記キャビネットヒンジ部は、前記ドアアセンブリの上端に配置される第１キャビネットヒンジ部と、前記ドアアセンブリの下端に配置される第２キャビネットヒンジ部を備え、
前記アセンブリヒンジ部は、前記アセンブリドアの上部に配置される第１アセンブリヒンジ部と、前記アセンブリドアの下部に配置される第２アセンブリヒンジ部とを備え、請求項４に記載の衣類処理装置。
【請求項１０】
前記スチーム流動部は、
前記第１キャビネットヒンジ部と前記第１アセンブリヒンジ部を内部を介して前記スチーム供給部で発生したスチームを前記第２衣類処理室に供給するスチーム供給部と、前記第２キャビネットヒンジ部と前記第２アセンブリヒンジ部を内部を介して前記第２衣類処理室内の空気を前記第１衣類処理室に排気するスチーム排気部とを備える、請求項９に記載の衣類処理装置。
【請求項１１】
前記アセンブリハウジングと前記アセンブリドアの間に設けられ、前記アセンブリハウジングに載置される衣類と前記アセンブリドアに載置される衣類にそれぞれ圧力を加える仕切り板を備える、請求項１に記載の衣類処理装置。
【請求項１２】
前記仕切り板は前記仕切り板を前記アセンブリハウジング又は前記アセンブリドアの一側に固定又は固定解除する固定突起を備える、請求項１１に記載の衣類処理装置。
【請求項１３】
前記アセンブリハウジングが前記アセンブリドアに固定されるとき、
前記アセンブリハウジングから前記仕切り板まで離隔した距離と前記仕切り板から前記アセンブリドアまで離隔した距離が一定の間隔を維持する、請求項１１に記載の衣類処理装置。
【請求項１４】
前記アセンブリハウジングの内側面には、衣類を固定する第１固定部材と、前記仕切り板に密着して前記第１固定部材に固定される衣類を押圧する第１ベース板が配置され、
前記アセンブリドアの内側面には、衣類を固定する第２固定部と、前記仕切り板に密着して前記第２固定部材に固定される衣類を押圧する第２ベース板が配置される、請求項１１に記載の衣類処理装置。
【請求項１５】
前方に開口部を備えるキャビネット；
前記開口部を開閉するドアアセンブリ；
前記キャビネット内に備えられて衣類が収容される空間を提供し、前記開口部を介して前記キャビネット外部と連通する第１衣類処理室；及び
前記第１衣類処理室と連通して前記第１衣類処理室にスチームを供給するスチーム供給部と空気を循環させる空気供給部のうちのいずれか１つが配置される機械室；を備え、
前記ドアアセンブリは、
前記ドアアセンブリの内側面に衣類を支持する支持ボディと、
前記支持ボディに向けて回転自在に設けられて前記衣類を押圧する押圧ボディと、
前記支持ボディと前記押圧ボディの間で前記支持ボディ又は前記押圧ボディに向けて回転自在に設けられ、両面で前記衣類を押圧するアイロン仕切り部を備える、衣類処理装置。
【請求項１６】
前記アイロン仕切り部は、
前記支持ボディと前記押圧ボディの間に回転自在に設けられるアイロン仕切りボディと；
前記仕切りボディの両面のうちのいずれかに備えられて前記衣類に熱を供給する加熱部とを備えることを特徴とする、請求項１５に記載の衣類処理装置。
【請求項１７】
前記加熱部は、
前記アイロン仕切りボディの両面のうちのいずれかに外部に露出するように備えられた加熱ボディと、
前記アイロン仕切りボディ及び前記加熱ボディのうちのいずれかに備えられて前記加熱ボディを加熱する熱線とを備えることを特徴とする、請求項１６に記載の衣類処理装置。
【請求項１８】
前記加熱部は、
前記アイロン仕切りボディの両面のうちのいずれかに外部に露出するように備えられる加熱ボディと、
前記アイロン仕切りボディ及び前記加熱ボディのうちのいずれかに備えられてスチームが供給される供給流路と、
前記加熱ボディを貫通して前記スチームが前記衣類に排出されるように備えられる複数の排出孔とを含むことを特徴とする請求項１６に記載の衣類処理装置。
【請求項１９】
さらに前記供給流路は前記アイロン仕切りボディの高さ方向に沿って少なくとも１つ以上設けられる噴射流路を備え、
前記排出孔は前記噴射流路の長手方向に沿って複数個が形成されることを特徴とする、請求項１８に記載の衣類処理装置。
【請求項２０】
さらに前記キャビネット、前記機械室及び前記ドアアセンブリのうちのいずれかに備えられてスチームを生成する補助スチーム供給部を備え、
前記供給流路は前記補助スチーム供給部と前記排出孔を連通するように備えられることを特徴とする、請求項１８に記載の衣類処理装置。
【請求項２１】
前記補助スチーム供給部は、
前記キャビネット、前記機械室及び前記ドアアセンブリのうちのいずれかに着脱自在に備えられて水を収容する補助水タンクと、
前記水タンクの水を加熱してスチームを発生させる補助ヒーターと、
前記水タンクと前記供給流路を連通してスチームを排出する排出口とを備えることを特徴とする、請求項２０に記載の衣類処理装置。
【請求項２２】
前記アイロン仕切り部は、
前記アイロン仕切りボディの両面のうちのいずれかに外部に露出するように備えられる加熱ボディと、
前記アイロン仕切りボディ及び前記加熱ボディのうちのいずれかに備えられて前記加熱ボディを加熱する熱線と、
前記アイロン仕切りボディ及び前記加熱ボディのうちのいずれかに備えられてスチームが供給される供給流路とを備え、
前記熱線は前記供給流路との干渉を防止するために前記供給流路の外郭に沿って形成されることを特徴とする、請求項２０に記載の衣類処理装置。
【請求項２３】
さらに前記ドアアセンブリは、
前記アイロン仕切り部と前記支持ボディを回転自在に結合する連結ヒンジと、
前記連結ヒンジに備えられて前記熱線や前記供給流路が通過する通路部とを備えることを特徴とする、請求項２２に記載の衣類処理装置。
【請求項２４】
前記アイロン仕切り部は、
前記機械室に連通して、前記機械室から供給された熱風又は水分を排出するように備えられることを特徴とする、請求項１５に記載の衣類処理装置。
【請求項２５】
さらに前記ドアアセンブリは、
前記支持ボディに備えられて前記押圧ボディを固定する結合フックと、
前記押圧ボディに備えられて前記結合フックに固定されるフック結合部とを備え、
前記支持ボディと前記押圧ボディが前記アイロン仕切り部から離隔することを防止することを特徴とする、請求項１５に記載の衣類処理装置。
【請求項２６】
前記アイロン仕切り部の上部及び下部のうちのいずれかに備えられて前記衣類を固定する載置部を更に備えてなることを特徴とする、請求項１９に記載の衣類処理装置。
【請求項２７】
前記載置部は、
前記アイロン仕切り部の上部及び下部のうちのいずれかに回転自在に設けられて衣類を支持する載置ボディと、
前記載置ボディに結合して前記衣類を固定する固定ボディとを備えることを特徴とする、請求項２６に記載の衣類処理装置。
【請求項２８】
前記載置部は、
前記押圧ボディの上部に回転自在に設けられて前記衣類を固定する第１載置部と、前記押圧ボディの下部に回転自在に設けられて前記衣類を固定する第２載置部とを備え、
前記第１載置部は、
前記押圧ボディの上部に回転自在に設けられて前記衣類を支持する第１載置ボディと、前記第１載置ボディに回転自在に設けられて前記衣類を固定する第１固定ボディとを備え、
前記第２載置部は、
前記押圧ボディの下部に回転自在に設けられて前記衣類を支持する第２載置ボディと、前記第２載置ボディに回転自在に設けられて前記衣類を固定する第２固定ボディとを備えることを特徴とする、請求項２６に記載の衣類処理装置。
【請求項２９】
前記第２載置ボディは前記衣類の第１部分が挿通する第１貫通スリットを備え、
前記第２固定ボディは前記衣類の第２部分が挿通する第２貫通スリットを備えることを特徴とする、請求項２８に記載の衣類処理装置。
【請求項３０】
前記第１載置ボディは、
一面が万曲して形成され、前記衣類の一部が収容されて支持される収容溝を備えることを特徴とする、請求項２８に記載の衣類処理装置。
【請求項３１】
さらに前記ドアアセンブリは、
前記ベース板と前記プレス板の間に回転自在に設けられるアイロン仕切りボディと、前記アイロン仕切りボディの両面のうちのいずれか１つに備えられて衣類に熱を供給する加熱部を備えたアイロン仕切り部を含むことを特徴とする、請求項１に記載の衣類処理装置。
【請求項３２】
前記加熱部は、
前記アイロン仕切りボディの両面のうちのいずれかに外部に露出するように備えられる加熱ボディと、
前記アイロン仕切りボディ及び前記加熱ボディのうちのいずれかに備えられて前記加熱ボディを加熱する熱線を備えることを特徴とする、請求項３１に記載の衣類処理装置。
【請求項３３】
前記加熱部は、
前記アイロン仕切りボディの両面のうちのいずれかに外部に露出するように備えられた加熱ボディ；
前記アイロン仕切りボディ及び前記加熱ボディのうちのいずれかに備えられてスチームが供給される供給流路；及び
前記加熱ボディを貫通して前記スチームが前記衣類に排出されるように備えられる複数の排出孔；を備えることを特徴とする、請求項３１に記載の衣類処理装置。
【請求項３４】
前記供給流路はそれぞれ前記アイロン仕切りボディの高さ方向に沿って少なくとも１つ以上設けられる噴射流路を更に備え、
前記複数の排出孔は前記噴射流路の長手方向に沿って複数個が備えられることを特徴とする、請求項３３に記載の衣類処理装置。
【請求項３５】
さらに前記キャビネット、前記機械室及び前記ドアアセンブリのうちのいずれかに備えられてスチームを生成する補助スチーム供給部を備え、
前記供給流路は前記補助スチーム供給部と前記複数の排出孔と連通するように備えられることを特徴とする、請求項３３に記載の衣類処理装置。
【請求項３６】
さらに前記ドアアセンブリは、
前記第１ベース板と前記仕切り板の間に回転自在に設けられる第１アイロン仕切りボディと前記第１アイロン仕切りボディの両面のうちのいずれか１つに備えられて衣類に熱を供給する第１加熱部を含む第１アイロン仕切り部；及び
前記仕切り板と前記第２ベース板の間に回転自在に設けられる第２アイロン仕切りボディと前記第２アイロン仕切りボディの両面のうちのいずれかに備えられて衣類に熱を供給する第２加熱部を含む第２アイロン仕切り部を備えることを特徴とする、請求項１４に記載の衣類処理装置。
【請求項３７】
前記第１加熱部は、
前記第１アイロン仕切りボディの両面のうちのいずれかに外部に露出するように備えられる第１加熱ボディと、
前記第１アイロン仕切りボディ及び前記第１加熱ボディのうちのいずれかに備えられて前記加熱ボディを加熱する第１熱線を備え、
前記第２加熱部は、
前記第２アイロン仕切りボディの両面のうちのいずれかに外部に露出するように備えられる第２加熱ボディと、
前記第２アイロン仕切りボディ及び前記第２加熱ボディのうちのいずれかに備えられて前記加熱ボディを加熱する第２熱線を備えることを特徴とする、請求項３６に記載の衣類処理装置。
【請求項３８】
さらに前記第１アイロン仕切り部は、
前記第１アイロン仕切りボディ及び前記第１加熱ボディのうちのいずれかに備えられてスチームが供給される第１供給流路；及び
前記第１加熱ボディを貫通して前記スチームが前記衣類に排出されるように備えられる第１排出孔を備え、
さらに前記第２アイロン仕切り部は、
前記第２アイロン仕切りボディ及び前記第２加熱ボディのうちのいずれかに備えられてスチームが供給される第２供給流路；及び
前記第２加熱ボディを貫通して前記スチームが前記衣類に排出されるように備えられる第２排出孔を備え、
前記第１供給流路及び前記第２供給流路はそれぞれ、前記第１アイロン仕切りボディ及び前記第２アイロン仕切りボディの高さ方向に沿って少なくとも１つ以上設けられる第１噴射流路及び第２噴射流路を更に備え、
前記第１排出孔及び前記第２排出孔はそれぞれ、前記第１噴射流路及び前記第２噴射流路の長手方向に沿って複数個が形成されることを特徴とする、請求項３７に記載の衣類処理装置。
【請求項３９】
さらに前記キャビネット、前記機械室及び前記ドアアセンブリのうちのいずれかに備えられてスチームを生成する補助スチーム供給部を備え、
前記供給流路は前記補助スチーム供給部と前記第１排出孔及び前記第２排出孔と連通するように備えられることを特徴とする、請求項３８に記載の衣類処理装置。
【発明の詳細な説明】
【技術分野】
【０００１】
本発明は衣類処理装置に関し、より詳しくは、ドアアセンブリ内の衣類処理室を別途に使用でき、かつスチーム及び熱線を用いてシワをなくすことができる衣類処理装置に関する。
【背景技術】
【０００２】
一般に衣類処理装置は、衣類に関連する各種の作業(洗濯、乾燥、脱臭、シワ除去など)を行う装置であり、衣類を洗濯する洗濯装置、衣類を乾燥する乾燥機、洗濯機能と乾燥機能を兼ねる乾燥機兼用洗濯機、ぬれた衣類を乾燥する乾燥装置、衣類に染み付いた匂い又はシワ（ｗｒｉｎｋｌｅ）を除去するリフレッシャー（ｒｅｆｒｅｓｈｅｒ）、衣類の不要なシワを除去するスチーマ(ｓｔｅａｍｅｒ)などを含む概念である。
【０００３】
リフレッシャーは衣類の状態を快適かつフレッシュにするための装置であり、衣類を乾燥させたり、衣類に香りを供給したり、静電気発生を防止したり、衣類のシワを除去したりする機能がある。
【０００４】
一方、衣類処理装置は、衣類の洗濯、乾燥、脱臭及びシワ除去を１つの装置で解決できるように開発されている。ただし、このような衣類処理装置は、衣類を収容するドラムと、該ドラムを回転させる駆動装置を用いるため、衣類の脱臭やシワ除去には至らぬところもある。
【０００５】
これを解決するために、韓国公開特許公報第１０−２０１４−０１８４４５７号は、スチーマとリフレッシャーを備える衣類処理装置を開示している。この衣類処理装置は、空気循環やスチームで衣類を処理する処理チャンバーと、処理チャンバー内で衣類を押圧してシワを除去する別途のシワ除去モジュールを備えている。
【０００６】
上記衣類処理装置では、シワ除去モジュールがキャビネットに形成された処理チャンバーに向かうドアの一側面に形成される。したがって、キャビネットが開放された状態でシワ除去モジュールに衣類を載置することができ、キャビネット内の処理チャンバーで衣類が処理されている途中には、シワ除去モジュールを使用できないという問題がある。すなわち、キャビネット内の処理チャンバーとシワ除去モジュールを別々に作動できない問題がある。
【０００７】
シワ除去モジュールは、ドアに設けられて弾性力を有する１つの板で形成されて衣類を支持するベースプレートと、該ベースプレートに結合されて回転し、ベースプレートと共に回転し、ベースプレートに密着して衣類を押圧するプレスプレートとを含む。
【０００８】
シワ除去モジュールを用いると、衣類を載置した状態でキャビネットの下側に位置するサイクルチャンバーで熱風を供給すると同時に、衣類を圧迫して、脱臭及びシワ除去を全て行うことができる。
【０００９】
このような衣類処理装置は、衣類がキャビネット内で自重により広げられた状態で熱風又は水分が供給されて乾燥及び脱臭されてシワを除去する。プレスプレートでは衣類の表面を押圧することにより衣類のシワを効果的に除去でき、衣類にクリース(ｃｒｅａｓｅ、衣類に付けられる折り目)が付いて、洗濯や乾燥の完了後にアイロンかけを省略することができるという効果がある。
【００１０】
しかし、従来の衣類処理装置は、プレスプレートとベースプレートの間に他の部材がないので、１つの衣類のみを押圧でき、効率性が落ちる問題がある。
【００１１】
また従来の衣類処理装置では、プレスプレートは衣類Ｐの側面で回転しながら押圧するので、衣類Ｐの一側から他側まで順に押圧される。
【００１２】
よって、衣類Ｐのうち、プレスプレートに近い部分には相対的に大きい圧力が加えられ、プレスプレートに遠い部分には相対的に少ない圧力が加えられて、衣類を均一に圧迫できないという問題がある。
【００１３】
さらに衣類Ｐがプレスプレートにより圧迫される過程において、プレスプレートに押されて衣類Ｐがよじれたり位置がずれたりする問題がある。
【００１４】
また従来の衣類処理装置は衣類Ｐを載置部に載置してもそれを固定できないので、押圧時、衣類の位置変更を防止できない問題がある。これにより、従来の衣類処理装置では、プレスプレートによって衣類Ｐにシワが多く発生したり、意図しない方向にクリースが入ったりする問題もある。
【００１５】
また従来の衣類処理装置は下衣などのように区分された領域がある衣類の場合、区分された領域をそれぞれ押圧できない問題がある。例えば、従来の衣類処理装置では、ズボンなどの下衣の場合、左足に着用する第１部分と右足に着用する第２部分が互いに重なって押圧される。
【００１６】
よって、第１部分と第２部分の押圧過程において、互いにすれ違って重なるか、あるいは位置が変わって衣類の意図しない領域にクリースが入る問題がある。
【００１７】
また第１部分と第２部分の対向する領域には熱風や水分(スチームを含む)が供給されないので、乾燥及び脱臭などのリフレッシャー(ｒｅｆｒｅｓｈ)が円滑に行われない問題もある。
【発明の概要】
【発明が解決しようとする課題】
【００１８】
本発明が解決しようとする第１課題は、キャビネット内の衣類処理空間での作動に関係なく、衣類を押圧してシワを除去する衣類処理を行う衣類処理装置を提供することである。
【００１９】
本発明の第２課題は、キャビネットとは別途に区分されたドアアセンブリ内に形成された衣類処理空間で衣類をシワを効果的に除去できる衣類処理装置を提供することである。
【００２０】
本発明の第３課題は、押圧によりシワを除去する複数の衣類を短時間に処理する衣類処理装置を提供することである。
【００２１】
本発明が解決しようとする第４課題は、下衣などのように区分された領域が存在する衣類の場合にも、各区分された領域を均等に押圧できる衣類処理装置を提供することである。
【００２２】
本発明が解決しようとする第５課題は、衣類の区分された各領域にスチーム及び熱風のうちのいずれか１つを均等に供給できる衣類処理装置を提供することである。
【００２３】
本発明が解決しようとする第６課題は、衣類の押圧過程において、衣類の位置が変わることを防止できる衣類処理装置を提供することである。
【００２４】
本発明が解決しようとする第７課題は、ユーザが意図した領域に正確にクリース(ｃｒｅａｓｅ)を形成できる衣類処理装置を提供することである。
【００２５】
本発明の課題は上記言及した課題に限らず、言及していない他の課題は以下の記載から当業者に明確に理解されるであろう。
【課題を解決するための手段】
【００２６】
上記課題を達成するために、本発明による衣類処理装置は、前方に開口部を備えるキャビネット、開口部を開閉するドアアセンブリ、キャビネット内に備えられて衣類が収容される空間を提供し、開口部を介してキャビネットの外部と連通する第１衣類処理室；及び第１衣類処理室と連通して第１衣類処理室にスチームを供給するスチーム供給部と空気を循環させる空気供給部のうちのいずれか１つが配置される機械室を含み、ドアアセンブリは、キャビネットの開放した前面を開閉し、開口部を開閉し、内部を圧力を加えて衣類のシワを除去する第２衣類処理室を形成するアセンブリハウジング及び第２衣類処理室をキャビネットの前方に開閉するアセンブリドアを含んで、キャビネットの内部とは別途にドアアセンブリの内部に第２衣類処理室が形成され、第２衣類処理室はアセンブリドアを介してキャビネットの外側に開放される。いわゆる、Ｄｏｏｒ ｉｎ Ｄｏｏｒの形態を有する。
【００２７】
また、本発明による衣類処理装置のアセンブリハウジング及びアセンブリドアのうちのいずれか１つの内側面には、第２衣類処理室に配置された衣類を支持するベース板が配置され、アセンブリハウジング及びアセンブリドアのうちの他の内側面には、ベース板に密着して衣類を押圧するプレス板が配置されて、ドアアセンブリ内に形成された第２衣類処理室に配置された衣類を処理する。
【００２８】
さらにプレス板を加熱する加熱装置を含んで衣類に熱を加えてシワを除去することができる。具体的には、加熱装置は外部の電源から電気が供給されて熱を発生させるプレス板電熱器を含み、プレス板電熱器はプレス板の内側に配置されて衣類に熱を加えてシワを除去することができる。
【００２９】
本発明による衣類処理装置はさらに、ドアアセンブリをキャビネットに回転自在に連結するキャビネットヒンジ部；アセンブリドアをアセンブリハウジングに回転自在に連結するアセンブリヒンジ部；及びキャビネットヒンジ部とアセンブリヒンジ部を内部を介してスチーム発生器で発生したスチームを第２衣類処理室に供給するか又は第２衣類処理室の空気を排気するスチーム流動部を含み、第２衣類処理室にスチームを供給して衣類を処理する。
【００３０】
本発明による衣類処理装置はさらに、ドアアセンブリ内に配置され、キャビネットヒンジ部とアセンブリヒンジ部を連結する連結管を含み、第２衣類処理室にスチームを流動させることができる。
【００３１】
本発明による衣類処理装置の連結管は、アセンブリヒンジ部の内側に挿入され、アセンブリヒンジ部に接する周り面の一側でスチームが流動するように開口した連結管孔が形成され、アセンブリヒンジ部は、連結管に接する周り面の一側でスチームが流動するように開口したアセンブリヒンジ部孔が形成され、アセンブリドアと共に回転して、アセンブリドアの回転により第２衣類処理室に供給されるスチームを調節することができる。
【００３２】
本発明による衣類処理装置は、アセンブリドアが第２衣類処理室を閉じるとき、連結管孔とアセンブリヒンジ部孔が同じ方向に配置されて、アセンブリドアの回転により第２衣類処理室に供給されるスチームを調節することができる。
【００３３】
本発明による衣類処理装置は、アセンブリドアが第２衣類処理室を開放するとき、連結管孔とアセンブリヒンジ部孔が互いに異なる方向に配置されて、アセンブリドアの回転により第２衣類処理室に供給されるスチームを調節することができる。
【００３４】
本発明による衣類処理装置のキャビネットヒンジ部は、ドアアセンブリの上端に配置される第１キャビネットヒンジ部と、ドアアセンブリの下端に配置される第２キャビネットヒンジ部とを含み、アセンブリヒンジ部は、アセンブリドアの上部に配置される第１アセンブリヒンジ部と、アセンブリドアの下部に配置される第２アセンブリヒンジ部とを含み、スチーム流動部は、第１キャビネットヒンジ部と第１アセンブリヒンジ部を内部を介してスチーム発生器で発生したスチームを第２衣類処理室に供給するスチーム供給部と、第２キャビネットヒンジ部と第２アセンブリヒンジ部を内部を介して第２衣類処理室内の空気を第１衣類処理室に排気するスチーム排気部とを含み、第２衣類処理室内にスチームを供給及び排気して衣類を処理することができる。
【００３５】
本発明による衣類処理装置は、アセンブリハウジングとアセンブリドアの間に設けられ、アセンブリハウジングに載置される衣類とアセンブリドアに載置される衣類にそれぞれ圧力を加える仕切り板を含み、第２衣類処理室内で複数の衣類を処理することができる。
【００３６】
仕切り板は、該仕切り板をアセンブリハウジング又はアセンブリドアの一側に固定又は固定解除する固定突起を含み、第２衣類処理室内で複数の衣類を処理することができる。
【００３７】
またアセンブリハウジングがアセンブリドアに固定されるとき、アセンブリハウジングから仕切り板まで離隔した距離と仕切り板からアセンブリドアまで離隔した距離が一定の間隔を維持して、第２衣類処理室内に配置された複数の衣類を処理することができる。
【００３８】
具体的には、アセンブリハウジングの内側面には、衣類を固定する第１固定部材と、仕切り板に密着して第１固定部材に固定された衣類を押圧する第１ベース板が配置され、アセンブリドアの内側面には、衣類を固定する第２固定部と、仕切り板に密着して第２固定部材に固定された衣類を押圧する第２ベース板が配置されて、ドアアセンブリ内に複数の衣類を載置することができる。
【００３９】
本発明のさらに他の実施例では、ドアアセンブリはさらに、衣類を支持する支持ボディと、支持ボディに向けて回転自在に設けられて衣類を押圧するプレス板と、支持ボディと押圧ボディの間で支持ボディ又は押圧ボディに向けて回転自在に設けられ、両面で衣類を押圧できるように備えられるアイロン仕切り部とを含む。
【００４０】
アイロン仕切り部は、支持ボディと押圧ボディの間に回転自在に設けられるアイロン仕切りボディと；仕切りボディの両面のうちのいずれかに設けられて衣類に熱を供給する加熱部を含む。
【００４１】
加熱部は、アイロン仕切りボディの両面のうちのいずれかに外部に露出するように備えられる加熱ボディと、アイロン仕切りボディ及び加熱ボディのうちのいずれかに備えられて加熱ボディを加熱する熱線とを含む。
【００４２】
一方、加熱部は、アイロン仕切りボディの両面のうちのいずれかに外部に露出するように備えられる加熱ボディと、アイロン仕切りボディ及び加熱ボディのうちのいずれかに備えられてスチームが供給される供給流路と、加熱ボディを貫通してスチームが衣類に排出されるように備えられる複数の排出孔とを含む。
【００４３】
さらに供給流路は、仕切りボディの高さ方向に沿って少なくとも１つ以上設けられる噴射流路を含み、排出孔は噴射流路の長手方向に沿って複数個が形成される。
【００４４】
特に供給流路を介してスチームを排出するために機械室のスチーム発生部と連通することもできるが、キャビネット、機械室及びドアアセンブリのうちのいずれかに備えられてスチームを生成する補助スチーム供給部をさらに含むことができ、この場合、供給流路は補助スチーム供給部と排出孔を連通するように備えられる。
【００４５】
補助スチーム供給部は、キャビネット、機械室及びドアアセンブリのうちのいずれかに着脱自在に備えられて水を収容する補助水タンクと、水タンクの水を加熱してスチームを発生させる補助ヒーターと、水タンクと供給流路を連通してスチームを排出する排出口とを含む。
【００４６】
アイロン仕切り部は、アイロン仕切りボディの両面のうちのいずれかに外部に露出するように備えられる加熱ボディと、仕切りボディ及び加熱ボディのうちのいずれかに備えられて加熱ボディを加熱する熱線と、仕切りボディ及び加熱ボディのうちのいずれかに備えられてスチームが供給される供給流路とを含み、熱線は供給流路との干渉を防止するために供給流路の外郭にそって形成される。
【００４７】
またドアアセンブリは、アイロン仕切り部と支持ボディを回転自在に結合する連結ヒンジと、連結ヒンジに備えられて熱線や供給流路が通過する通路部を含む。
【００４８】
アイロン仕切り部は、機械室に連通するように備えられて、機械室から供給された熱風又は水分を排出するように備えられる。
【００４９】
さらにドアアセンブリは、支持ボディに備えられて押圧ボディを固定する支持ボディの結合フックと、押圧ボディに備えられて支持ボディの結合フックに固定される押圧ボディのフック結合部を含んで、支持ボディと押圧ボディが仕切り部から離隔することを防止することができる。
【００５０】
さらにアイロン仕切り部の上部及び下部のうちのいずれかに備えられて衣類を固定する載置部を含む。
【００５１】
この場合、載置部は、アイロン仕切り部の上部及び下部のうちのいずれかに回転自在に設けられて衣類を支持する載置ボディと、載置ボディに結合して衣類を固定する固定ボディとを含む。
【００５２】
より具体的には、載置部は、押圧ボディの上部に回転自在に設けられて衣類を固定する第１載置部と、押圧ボディの下部に回転自在に設けられて衣類を固定する第２載置部とを含む。
【００５３】
第１載置部は、押圧ボディの上部に回転自在に設けられて衣類を支持する第１載置ボディと、第１載置ボディに回転自在に設けられて衣類を固定する第１固定ボディとを含み、第２載置部は、押圧ボディの下部に回転自在に設けられて衣類を支持する第２載置ボディと、第２載置ボディに回転自在に設けられて衣類を固定する第２固定ボディとを含む。
【００５４】
第２載置ボディは衣類の第１部分が挿通する第１貫通スリットを含み、第２固定ボディは衣類の第２部分が挿通する第２貫通スリットを含む。第１載置ボディは一面が万曲して形成され、衣類の一部が収容されて支持される収容溝を含む。
【００５５】
さらに支持ボディと押圧ボディの間には、回転自在に設けられるアイロン仕切り部を含み、アイロン仕切り部はアイロン仕切りボディと衣類に熱を供給するように備えられる加熱部を含む。
【００５６】
加熱部は、アイロン仕切りボディの両面のうちのいずれかに外部に露出するように備えられる加熱ボディと、アイロン仕切りボディ及び加熱ボディのうちのいずれかに備えられて加熱ボディを加熱する熱線とを含む。
【００５７】
一方、加熱部は、アイロン仕切りボディの両面のうちのいずれかに外部に露出するように備えられる加熱ボディ、アイロン仕切りボディ及び加熱ボディのうちのいずれかに備えられてスチームが供給される供給流路；及び加熱ボディを貫通してスチームが衣類に排出されるように備えられる複数の排出孔；を含むこともできる。
【００５８】
さらに供給流路はそれぞれアイロン仕切りボディの高さ方向に沿って少なくとも１つ以上設けられる噴射流路を含み、複数の排出孔は噴射流路の長手方向に沿って複数個が備えられる。
【００５９】
さらにキャビネット、機械室及びドアアセンブリのうちのいずれかに備えられてスチームを生成する補助スチーム供給部を含み、供給流路は補助スチーム供給部と複数の排出孔と連通するように備えられる。
【００６０】
アセンブリハウジングの内側面に第１ベース板、仕切り板及び第２ベース板が備えられる場合、ベース板とプレス板の間に回転自在に設けられるアイロン仕切りボディと、アイロン仕切りボディの両面のうちのいずれか１つに備えられて衣類に熱を供給する加熱部とを含むアイロン仕切り部をさらに含む。すなわち、ドアアセンブリは、第１ベース板と仕切り板の間に回転自在に設けられる第１アイロン仕切りボディと、第１アイロン仕切りボディの両面のうちのいずれか１つに備えられて衣類に熱を供給する第１加熱部を含む第１アイロン仕切り部、仕切り板と第２ベース板の間に回転自在に設けられる第２アイロン仕切りボディと第２アイロン仕切りボディの両面のうちのいずれかに備えられて衣類に熱を供給する第２加熱部を押圧する第２アイロン仕切り部をさらに含む。
【００６１】
第１加熱部は、第１アイロン仕切りボディの両面のうちのいずれかに外部に露出するように備えられる第１加熱ボディと、第１アイロン仕切りボディ及び第１加熱ボディのうちのいずれかに備えられて加熱ボディを加熱する第１熱線とを含み、第２加熱部は、第２アイロン仕切りボディの両面のうちのいずれかに外部に露出するように備えられる第２加熱ボディと、第２アイロン仕切りボディ又は第２加熱ボディのうちのいずれかに備えられて加熱ボディを加熱する第２熱線とを含む。
【００６２】
第１アイロン仕切り部はさらに、第１アイロン仕切りボディ及び第１加熱ボディのうちのいずれかに備えられてスチームが供給される第１供給流路及び第１加熱ボディを貫通してスチームが衣類に排出されるように備えられる第１排出孔を含み、第２アイロン仕切り部はさらに、第２アイロン仕切りボディ及び第２加熱ボディのうちのいずれかに備えられてスチームが供給される第２供給流路及び第２加熱ボディを貫通してスチームが衣類に排出されるように備えられる第２排出孔を含む。さらに第１供給流路及び第２供給流路はそれぞれ、第１アイロン仕切りボディ及び第２アイロン仕切りボディの高さ方向に沿って少なくとも１つ以上設けられる第１噴射流路及び第２噴射流路を含み、第１排出孔及び第２排出孔はそれぞれ第１噴射流路及び第２噴射流路の長手方向に沿って複数個が形成される。
【００６３】
さらにキャビネット、機械室及びドアアセンブリのうちのいずれかに備えられてスチームを生成する補助スチーム供給部を含み、供給流路は補助スチーム供給部と第１排出孔及び第２排出孔と連通するように備えられることを特徴とする。
【００６４】
その他の実施例の具体的な事項は詳しい説明及び図面に記載されている。
【発明の効果】
【００６５】
本発明の衣類処理装置によれば、以下のうち少なくとも１つの効果を得ることができる。
【００６６】
第一に、ドアアセンブリ内に形成された第２衣類処理室はキャビネットの開閉有無に関係なく開閉できるので、第１衣類処理室の作動中にも第２衣類処理室に衣類を処理することができる。
【００６７】
第二に、第２衣類処理室内にさらに加熱装置又はスチーム供給部を追加して、ドアアセンブリ内に形成された第２衣類処理室に熱を供給し、内部に置かれた衣類のシワを効果的に除去することができる。
【００６８】
第三に、第２衣類処理室内の空間を仕切り、両側で衣類を押圧する仕切り板を設けて、複数の衣類を同時に処理することができるので、複数の衣類を短時間に処理することができる。
【００６９】
第四に、本発明は下衣などのように区分された領域が存在する衣類の場合にも、各区分された領域を均等に押圧することができる。
【００７０】
第五に、本発明は衣類の区分された各領域にスチーム及び熱風のうちのいずれかを均等に供給できる衣類処理装置を提供する。
【００７１】
第六に、本発明は複数の衣類を同時に押圧できる衣類処理装置を提供する。
【００７２】
第七に、本発明は衣類押圧過程において、衣類の位置が変わることを防止する衣類処理装置を提供する。
【００７３】
第八に、本発明は衣類の乾燥、脱臭などのリフレッシャー(ｒｅｆｒｅｓｈ)の終了後、ユーザがアイロンかけを省略することができる。
【００７４】
第九に、本発明はユーザが意図する領域に正確にクリース(ｃｒｅａｓｅ)を形成できる衣類処理装置を提供する。
【００７５】
第十に、本発明は２つ以上の衣類に同時に熱線を用いた加熱及びスチームを供給することにより同時に加熱及び押圧してシワをなくすことができる。
【００７６】
本発明の効果は上記言及した効果に限らず、言及していない他の効果は請求範囲の記載から当業者に明確に理解されるであろう。
【図面の簡単な説明】
【００７７】
【図１】本発明の一実施例による衣類処理装置のドアアセンブリが開放した状態を示す図である。
【図２】本発明の一実施例による衣類処理装置のキャビネットが開放した状態を示す図である。
【図３】本発明の一実施例による機械室の内部構成を説明する概略的な断面図である。
【図４】本発明の一実施例によるドアアセンブリの内部構成説明する図である。
【図５】本発明の他の実施例によるドアアセンブリのスチーム循環構造を説明する図である。
【図６】本発明の他の実施例によるものであり、図６の(ａ)はドアアセンブリにおいてアセンブリドアが閉じた状態を説明する図であり、図６の(ｂ)はドアアセンブリにおいてアセンブリドアが開いた状態を説明する図である。
【図７】本発明のさらに他の実施例によるドアアセンブリを示す図である。
【図８】本発明のさらに他の実施例によるドアアセンブリが閉じた状態を示す図である。
【図９】本発明のさらに他の実施例によるドアアセンブリが開いた状態を示す図である。
【図１０】本発明のさらに他の実施例によるドアアセンブリが開き、仕切り板が離隔した状態を示す図である。
【図１１】本発明のさらに他の実施例によるドアアセンブリの内部構造を説明する図である。
【図１２】従来の衣類処理装置の構造を示す図である。
【図１３】本発明の一実施例による衣類処理装置の構造を示す図である。
【図１４】本発明のアイロン押圧部に衣類が置かれたことを示す図である。
【図１５】本発明のアイロン押圧部に設けられた加熱部の一例を示す図である。
【図１６】本発明の加熱部の流路構造の一例を示す図である。
【図１７】本発明の加熱部の水分供給構造の一例を示す図である。
【図１８】本発明のアイロン押圧部に衣類を載置する載置部の構造を示す図である。
【００７８】
【図１９】本発明のアイロン押圧部及び載置部に衣類を載置する過程を段階別に示す図である。
【図２０】本発明の一実施例によるドアアセンブリに備えられたベース板、プレス板及びアイロン仕切り部の配置を示す図である。
【図２１】本発明の他の実施例によるドアアセンブリに備えられたベース板、プレス板、仕切り板及び複数のアイロン仕切り部の配置を説明する図である。
【発明を実施するための形態】
【００７９】
本発明の利点及び特徴、並びにそれらを達成する方法は、添付図面と共に詳細に後述する実施例を参照にすると明確になる。しかし、本発明は以下に開示する実施例に限定されるものではなく、互いに異なる多様な形態で具現することができ、単に本実施例は本発明の開示を完全にし、本発明が属する技術分野における通常の知識を有する者に発明の範疇を完全に知らせるために提供されるものであり、本発明は請求項の範疇によって定義されるだけである。明細書全体にわたって、同一の参照符号は同一の構成要素を指す。
【００８０】
以下で言及される「前Ｆ／後Ｒ／左Ｌｅ／右Ｒｉ／上Ｕ／下Ｄ」などの方向を指す表現は、図に表されたところによって定義するが、これはあくまでも本発明が明確に理解されるように説明するためのものであり、基準をどこに置くかによって各方向を異なって定義することができる。
【００８１】
この明細書では、互いに異なる実施例であっても、同一・類似する構成については同一・類似する参照符号を与え、その説明を省略する。本発明で使用する単数の表現は、文脈上明白に異なって意味しない限り、複数の表現を含む。また、本発明を説明するにあたり、本発明に関連する公知の技術についての具体的な説明が、本発明の要旨を無駄に曖昧にするおそれがあると判断される場合には、その詳細な説明を省略する。添付された図面は、本明細書に開示された実施例を簡単に理解できるようにするためのものであり、添付された図面によって本明細書に開示された技術的思想が制限されてはいけない。
【００８２】
以下、添付図面を参照しながら、本発明の実施例による衣類処理装置を説明する。
【００８３】
図１は本発明の一実施例による衣類処理装置１０００のドアアセンブリ１００が開放した状態を示す斜視図である。図２は本発明の一実施例による衣類処理装置のキャビネットが開放した状態を示す斜視図である。図３は発明の一実施例による機械室２０の内部構成を説明する概略的な断面図である。図４は本発明の一実施例によるドアアセンブリ１００の内部構成説明する図である。
【００８４】
以下、図１乃至図４を参照しながら、本発明の一実施例による衣類処理装置とドアアセンブリについて説明する。
【００８５】
図２を参照すると、この実施例による衣類処理装置は内部が中空であり、前面が開放したキャビネット１０と、キャビネット１０の開放した前面を開閉するドアアセンブリ１００とを含む。
【００８６】
この実施例によるキャビネット１０は、内部に衣類を載置してスチームや空気循環により衣類を処理する第１衣類処理室１１及び第１衣類処理室にスチームを噴射したり空気を循環させたりする装置が設けられる機械室２０を含む。
【００８７】
この実施例による第１衣類処理室１１の上側には衣類又は衣類が載置されるハンガーを掛ける衣類支持バー１６が設けられる。衣類支持バー１６として、衣類を所定の離隔距離内で左右方向に揺するムービングハンガー(Ｍｏｖｉｎｇ Ｈａｎｇｅｒ)が備えられてもよい。
【００８８】
図３を参照すると、この実施例による機械室２０は、第１衣類処理室１１の収容空間１４に空気(加熱された空気又は未加熱空気)を供給する空気供給部３０と、収容空間１４に水分(スチーム又はミスト)を供給するスチーム供給部４０のうちのいずれか１つを含む。
【００８９】
このために、第１衣類処理室１１は、機械室２０に空気を排出する空気排出口３６と、機械室２０から空気が供給される空気吸入口３７と、機械室２０から水分又はスチームが供給されるスチーム供給口４２とが貫通して備えられる。
【００９０】
機械室２０は空気より密度が相対的に低い熱風を生成するので、熱風が収容空間１４に完全に供給されるように第１衣類処理室１１の下部に設けられる。
【００９１】
機械室２０は、収容空間１４に空気(加熱空気又は未加熱空気)を供給する空気供給部３０と、収容空間１４に水分(スチーム又はミスト)を供給するスチーム供給部４０のうちのいずれかを含む。
【００９２】
以下では説明の便宜のために、供給部が空気供給部３０及び水分供給部４０の両方を含み、空気供給部３０は熱風を収容空間１４に供給し、スチーム供給部４０はスチームを収容空間１４に供給する場合に基づいて説明する。
【００９３】
空気供給部３０は、収容空間１４内の空気を循環させる第１衣類処理室供給管２４と、第１衣類処理室供給管２４にそって流動する空気と熱交換する熱交換部３１と、収容空間１４内の空気が第１衣類処理室供給管２４にそって流動するようにする送風ファン３２とを含む。
【００９４】
第１衣類処理室供給管２４は収容空間１４に備えられた空気排出口３６及び空気吸入部３７を介して収容空間１４の内部に連通する。
【００９５】
空気排出部２５と空気吸入部２３は収容空間１４の底面を貫通するように設けられて収容空間１４と機械室２０を連通させる。したがって、機械室２０内に備えられた第１衣類処理室供給管２４の一端が空気吸入部２３に連結され、他端が空気排出部２５０に連結されると、第１衣類処理室供給管２４は収容空間１４の内部に連通することができる。
【００９６】
熱交換部３１は第１衣類処理室供給管２４に流入した空気の除湿及び加熱のための手段であって、図３の(ａ)は熱交換部の一実施例による熱ポンプ(ｈｅａｔ ｐｕｍｐ)を示す。
【００９７】
熱交換部が熱ポンプで備えられる場合、熱交換部３１は第１衣類処理室供給管２４内に設けられる蒸発器Ｅ，３１１、第１衣類処理室供給管２４内に位置する凝縮器Ｃ，３１２、第１衣類処理室供給管２４の外側に位置する圧縮機Ｐ，３３及び膨張バルブＥｘ，３４で備えられる。
【００９８】
蒸発器Ｅ、圧縮機Ｐ、凝縮器Ｃ及び膨張バルブＥｘは冷媒管３５を介して互いに連結される。
【００９９】
圧縮機Ｐは冷媒が冷媒管３５にそって循環されるように冷媒を高圧に圧縮させる手段であり、蒸発器Ｅは第１衣類処理室供給管２４内の空気から熱を吸収して冷媒を蒸発させる手段でありかつ空気を除湿冷却する手段である。また凝縮器Ｃは第１衣類処理室供給管２４内の空気により熱を放出することにより空気を加熱し、冷媒を凝縮させる手段である。
【０１００】
送風ファン３２は第１衣類処理室供給管２４内に設けられて収容空間１４内の空気を第１衣類処理室供給管２４を介して循環させる手段であり、凝縮器Ｃと空気排出口３６の間に位置する。
【０１０１】
したがって、送風ファン３２が作動すると、第１衣類処理室供給管２４内の空気は空気排出口３６を介して収容空間１４に移動し、収容空間１４内の空気は空気吸入口３７を介して第１衣類処理室供給管２４に移動する。
【０１０２】
空気吸入部２３を介して第１衣類処理室供給管２４に流入する空気は蒸発器Ｅを通過しながら冷却し、蒸発器Ｅを通過した空気は凝縮器Ｃを通過しながら加熱される。
【０１０３】
蒸発器Ｅを通過しながら空気が冷却すると、空気に含まれた水分が除去され(除湿)、空気から除去された水分(凝縮水)は蒸発器の表面や第１衣類処理室供給管内に残留する。
【０１０４】
第１衣類処理室供給管２４内に凝縮水が残留すると、熱交換部３１の熱交換効率が低下するので、本発明ではさらに蒸発器Ｅにより発生した凝縮水の除去のための排水部を含む。
【０１０５】
この実施例による第１衣類処理室供給管２４の一側には蒸発器Ｅと熱交換により発生した凝縮水を集める集水管３７が設けられる。集水管３７に集水した凝縮水は排水部に流動する。
【０１０６】
排水部は、機械室ドア２２に着脱自在に設けられる排水タンク４７と、第１衣類処理室供給管２４内の凝縮水を排水タンク４７に供給する排水管４７７と、排水ポンプ４７９とを備える。
【０１０７】
排水タンク４７は液体を貯蔵可能な空間を提供できれば、いかなる形状であってもよい。但し、排水タンク４７内に貯蔵された液体の排出のための排水タンクリード４７１、排水管４７７が着脱自在に連結される排水タンク流入口４７３を含むことが好ましい。
【０１０８】
排水タンク流入口４７３にはさらにチェックバルブ(図示せず)が備えられるが、これは機械室ドア２２が機械室２０を開放すると、排水管４７７が排水タンクの流入口４７３から分離され、機械室ドア２２が機械室２０を閉鎖すると、排水管４７７を排水タンクの流入口４７３に挿入するためのものである。排水タンクを機械室ドアから分離するとき、排水タンク内の水が排水タンクの外部に漏出することも防止することができる。
【０１０９】
一方、図３の(ｂ)に示したように、スチーム供給部４０は、機械室２０内に備えられるスチーム発生器４１、スチーム発生器４１内に備えられるヒーター４１１、及びスチーム発生器４１をスチーム供給口４２に連結するスチーム供給管４１７を備える。
【０１１０】
スチーム発生器４１は水を貯蔵する手段であり、ヒーター４１１はスチーム発生器４１内に貯蔵された水を加熱して水をスチームに変換させる手段であり、スチーム供給管４１７はスチーム発生器４１内のスチームを収容空間１４に案内する手段である。
【０１１１】
したがって、ヒーター４１１はスチーム発生器４１の底面に隣接するように設けられることが好ましく、スチーム供給管４１７はスチーム発生器４１の上面(又は最上端)に位置することが好ましい。
【０１１２】
スチーム発生器４１には給水部を介して水が供給されるが、給水部は機械室ドア２２に着脱自在に設けられた給水タンク４５で備えられる。
【０１１３】
この場合、スチーム発生器４１は、機械室ドア２２が機械室２０を閉鎖すると、給水タンク４５に連結され、機械室ドア２２が機械室２０を開放すると、給水タンク４５から分離される給水タンク連結管４１３をさらに含むように備えられる。
【０１１４】
給水タンク４５は液体を貯蔵できる形状であれば、いかなる形状であってもよいが、給水タンク４５内に液体を供給するための給水タンクリード４５１、給水タンク連結管４１３が挿入される排出口(図示せず)、排出口に備えられる給水タンクチェックバルブ４５５を含むことが好ましい。
【０１１５】
本発明による衣類処理装置１０００が給水源(図示せず)から遠く離れた位置に設けられる場合を考慮して、給水タンク４５は機械室ドア２２に着脱自在に設けられる。
【０１１６】
給水タンク４５と排水タンク４７は個々に分離されず、１つの貯蔵タンクに備えられる。この場合、貯蔵タンクに貯蔵された凝縮水は再使用でき、或いは貯蔵タンクに貯蔵されず排水管４７７を介してすぐ外部に排出されることもできる。
【０１１７】
即ち、衣類処理装置１０００が給水源に隣接して位置すると、スチーム発生器４１は必要な時に給水源から水が供給されるように制御することができる。しかし、衣類処理装置１０００が給水源から遠く離れて位置すると、かかる制御が不可能であるので、給水タンク４５はそのような問題を解決するための手段である。
【０１１８】
図１及び図４を参照すると、この実施例によるドアアセンブリ１００の内側には衣類を押圧してシワを除去できる第２衣類処理室１２が形成される。この実施例によるドアアセンブリ１００は、第２衣類処理室１２を開閉するアセンブリドア１３０を含む。この実施例によるアセンブリドア１３０は、ドアアセンブリ１００の前方Ｆに配置され、ドアアセンブリ１００内に形成された第２衣類処理室１２を前方Ｆに開閉することができる。
【０１１９】
この実施例によるドアアセンブリ１００は、キャビネット１０の開口した前面を開閉し、内部に衣類が処理される空間を形成するアセンブリハウジング１１０と、アセンブリハウジング１１０が形成される内部空間を開閉するアセンブリドア１３０とを含む。
【０１２０】
第２衣類処理室１２はドアアセンブリ１００の内部に配置される。第２衣類処理室１２はドアアセンブリ１００において前方に開放した形態であり、アセンブリドア１３０により外部と遮断されることができる。アセンブリドア１３０は第２衣類処理室１２の内部空間を開閉するドア機能を行う。すなわち、ドアアセンブリ１００では、アセンブリハウジング１１０により第１衣類処理室１１を開閉しなくても、第２衣類処理室１２のみをアセンブリドア１３０により開閉することができる。これをＤｏｏｒ ｉｎ Ｄｏｏｒタイプという。
【０１２１】
第２衣類処理室１２では内部に配置される衣類に圧力を加えて衣類のシワを除去する。第２衣類処理室１２では、アセンブリハウジング１１０の内側面１１１ａとアセンブリドア１３０の内側面１３１の間に衣類が配置される。
【０１２２】
第２衣類処理室１２には、衣類を固定して下側Ｄに垂れる固定部材１１４、内部に配置された衣類を支持するベース板１１３及びベース板１１３に密着して間に配置された衣類を押圧するプレス板１３２が配置される。この実施例によるプレス板１３２の中央には、上下方向(Ｕ−Ｄ)に長く突出したテンションバー(ｔｅｎｓｉｏｎ ｂａｒ)１３４が突出して形成される。テンションバー１３４はプレス板１３２とベース板１１３の間に配置された衣類にベース板１１３の方向にテンションを加えて、衣類の両側にテンションを加えることができる。
【０１２３】
固定部材１１４はアセンブリハウジング１１０及びアセンブリドア１３０のうちのいずれかに配置される。ベース板１１３はアセンブリハウジング１１０の内側面１１１ａ又はアセンブリドア１３０の内側面１３１に配置され、プレス板１３２はベース板１１３に配置されないアセンブリハウジング１１０又はアセンブリドア１３０に配置される。
【０１２４】
図１及び図４を参照すると、この実施例による衣類処理装置１０のドアアセンブリ１００では、アセンブリハウジング１１０に固定部材１１４とベース板１１３が配置され、アセンブリドア１３０にプレス板１３２が配置される。またアセンブリドア１３０には、アセンブリハウジング１１０の内側面で突出した固定部材１１４に対応する部分に固定部材溝１３９が形成される。以下、図１及び図４を参照しながら、それらを基準として説明する。ただし、これは一実施例に過ぎず、衣類を固定及び押圧できる範囲内で異なる配置も可能である。
【０１２５】
この実施例によるアセンブリハウジング１１０は、ドアアセンブリ１００の外形を形成する。この実施例によるアセンブリハウジング１１０は内部に衣類が押圧して処理される空間である第２衣類処理室１２が形成される。この実施例によるアセンブリハウジング１１０は内側に第２衣類処理室１２を形成し、第２衣類処理室１２の前面は開放される。
【０１２６】
この実施例によるアセンブリハウジング１１０は、キャビネット１０の一側に回転自在に連結される。この実施例によるアセンブリハウジング１１０は、上端と下端の一側がキャビネット１０にヒンジ固定される。
【０１２７】
図２を参照すると、アセンブリハウジング１１０がキャビネット１０の前面を閉じた状態で、アセンブリハウジング１１０の後面１１２はキャビネット１０の第１衣類処理室１１に向かって配置される。アセンブリハウジング１１０の後面１１２には、キャビネット１０の前面を閉じた状態で、第１衣類処理室１１とキャビネット１０の外部を密閉するドアガスケット１２２が配置される。
【０１２８】
この実施例による衣類処理装置１０は、アセンブリハウジング１１０がキャビネット１０の前面を閉じた状態で、アセンブリハウジング１１０の前面１１１はキャビネット１０の前方に向かって配置される。この実施例によるアセンブリハウジング１１０の前面１１の一部は後方に陥没して形成されて、アセンブリハウジング１１０の内側面１１１ａであると同時に第２衣類処理室１２の内側面１１１ａである面が形成される。
【０１２９】
この実施例によるドアアセンブリ１００では、アセンブリドア１３０がアセンブリハウジング１１０に閉じられた状態で、第２衣類処理室１２を形成する空間に配置される面を内側面であると定義する。またこの実施例によるドアアセンブリ１００では、アセンブリドア１３０がアセンブリハウジング１１０に閉じられた状態で、ドアアセンブリ１００の外形を形成する面を外側面であると定義することができる。したがって、アセンブリハウジング１１０の前面でもドアアセンブリ１００の外形を形成する面は外側面であると説明できる。
【０１３０】
この実施例によるアセンブリハウジング１１０は、内部に衣類が処理される第２衣類処理室１２を形成する。この実施例によるアセンブリハウジング１１０には、第２衣類処理室１２が形成される内側面１１１ａに衣類を固定する固定部材１１４と、アセンブリドア１３０とともに固定部材１１４に固定される衣類を押圧するベース板１１３とが配置される。
【０１３１】
ベース板１１３は、アセンブリハウジング１１０に固定されるベース固定板１１３１と、ベース固定板１１３１から延長して形成され、ベース固定板１１３１に比べてアセンブリハウジング１１０の内側面１１１ａともっと離隔して形成され、衣類に弾性力を提供するベース弾性板１１３２，１１３３とを含む。
【０１３２】
この実施例において、ベース固定板１１３１はアセンブリハウジング１１０の内側面１１１ａから上下方向に延長して形成され、上側及び下側がそれぞれ締結部材によりアセンブリハウジング１１０に締結される。したがって、ベース固定板１１３１はアセンブリハウジング１１０の内側面に結合された状態を維持することができる。ベース固定板１１３１は上側と下側でアセンブリハウジング１１０に締結される部分の間の空間にベース固定板孔１１７が形成される。ベース板１１３において衣類を主に押圧する部分はベース弾性板１１３２，１１３３である。
【０１３３】
ベース弾性板１１３２，１１３３はそれぞれベース固定板１１３１から左右方向に延長して形成されるベース弾性右板１１８２とベース弾性左板１１８３に区分される。
【０１３４】
ベース弾性右板１１８２とベース弾性左板１１８３は材質の弾性によってアセンブリハウジング１１０の内側面１１１ａの方向に弾性変形される。
【０１３５】
したがって、ベース板１１３がアセンブリドア１３０のプレス板１３２により押圧されるとき、ベース板１１３のベース弾性板１１３２，１１３３はアセンブリハウジング１１０の内側面１１１ａの方向に離隔してアセンブリドア１３０と均一に密着することができる。
【０１３６】
この実施例によるアセンブリドア１３０は、アセンブリハウジング１１０ｂの前面１１１に設けられる。この実施例によるアセンブリドア１３０は、アセンブリハウジング１１０の一側に回転自在に連結される。この実施例によるアセンブリドア１３０は第２衣類処理室１２を開閉する。
【０１３７】
この実施例によるアセンブリドア１３０の内側面１３１には、ベース板１１３とともに第２衣類処理室１２に載置された衣類を押圧するプレス板１３２が配置される。この実施例によるプレス板１３２は、ベース板１１３に対応する部分のアセンブリドア１３０に配置される。
【０１３８】
この実施例によるプレス板１３２が配置されたアセンブリドア１３０の内部にはプレス板１３２を加熱する加熱装置１３６が配置される。この実施例による加熱装置１３６は外部の電源から電気が供給されて熱を発生させるプレス板電熱器１３８を含む。プレス板電熱器１３８はプレス板１３２の内側に配置されてプレス板１３２に熱を発散させる。したがって、ベース板１１３とプレス板１３２に押圧される衣類はプレス板１３２で発生する熱を用いて衣類に存在するシワを除去することができる。
【０１３９】
図５は本発明の他の実施例によるドアアセンブリ１００のスチーム循環構造を説明する図である。図６は本発明の他の実施例によるドアアセンブリのスチームが流動するヒンジ部を説明する図である。
【０１４０】
以下、図５及び図６を参照しながら、この実施例によるドアアセンブリ１００内にスチームが流動する構成について説明する。
【０１４１】
図５を参照すると、本発明の他の実施例による衣類処理装置１０はさらにドアアセンブリ１００内に形成される第２衣類処理室１２にスチームを供給するドアスチーム供給部１４４ａ，１４６ａ，１４８ａを含む。この実施例による衣類処理装置１０はさらにドアアセンブリ１００内を流動するスチームを排気するドアスチーム排気部１４４ｂ、１４６ｂ、１４８ｂを含む。
【０１４２】
この実施例によるドアスチーム供給部１４４ａ、１４６ａ、１４８ａは、機械室２０内に配置されたスチーム供給部４０で発生したスチームの一部をドアアセンブリ１００内の第２衣類処理室１２に供給する。
【０１４３】
この実施例によるドアアセンブリ１００は、キャビネット１０に回転自在に連結される。この実施例による衣類処理装置１０は、さらにドアアセンブリ１００をキャビネット１０に回転自在に連結するキャビネットヒンジ部１４４を含む。この実施例によるキャビネットヒンジ部１４４は、ドアアセンブリ１００の上端と下端において、ドアアセンブリ１００とキャビネット１０を回転自在に連結する。
【０１４４】
この実施例によるキャビネットヒンジ部１４４は、ドアアセンブリ１００の上端に配置される第１キャビネットヒンジ部１４４ａと、ドアアセンブリ１００の下端に配置される第２キャビネットヒンジ部１４４ｂとを含む。この実施例による第１キャビネットヒンジ部１４４ａと第２キャビネットヒンジ部１４４ｂは内部が中空である。したがって、第１キャビネットヒンジ部１４４ａと第２キャビネットヒンジ部１４４ｂは内部にスチームが流動するか、スチームが流動するホースが配置される。
【０１４５】
この実施例によるドアアセンブリ１００のアセンブリドア１３０は、アセンブリハウジング１１０に回転自在に連結される。この実施例によるドアアセンブリ１００は、さらにアセンブリドア１３０をアセンブリハウジング１１０に回転自在に連結するアセンブリヒンジ部１４６を含む。この実施例によるアセンブリヒンジ部１４６は、アセンブリドア１３０の上端と下端でアセンブリドア１３０とアセンブリハウジング１１０を回転自在に連結する。
【０１４６】
この実施例によるアセンブリヒンジ部１４６は、アセンブリドア１３０の上部に配置される第１アセンブリヒンジ部１４６ａと、アセンブリドア１３０の下部に配置される第２アセンブリヒンジ部１４６ｂとを含む。この実施例による第１アセンブリヒンジ部１４６ａと第２アセンブリヒンジ部１４６ｂは内部が中空である。したがって、第１アセンブリヒンジ部１４６ａと第２アセンブリヒンジ部１４６ｂは内部にスチームが流動するか、又はスチームが流動するホースが配置される。
【０１４７】
この実施例による連結管１４８は、第１キャビネットヒンジ部１４４ａと第１アセンブリヒンジ部１４６ａを連結する第１連結管１４８ａと、第２キャビネットヒンジ部１４４ｂと第２アセンブリヒンジ部１４６ｂを連結する第２連結管１７８ｂとを含む。
【０１４８】
この実施例による連結管１４８内に機械室２０のスチーム発生部４４で生成されたスチームが流動するか、又はスチームが流動するホースが配置される。
【０１４９】
この実施例によるスチーム供給部１４０は、第１キャビネットヒンジ部１４４ａと第１アセンブリヒンジ部１４６ａを連結する第１連結管１４８ａを含む。この実施例によるドアスチーム排気部１４４ｂ，１４６ｂ，１４８ｂは、第２キャビネットヒンジ部１４４ｂと第２アセンブリヒンジ部１４６ｂを連結する第２連結管１４８ｂを含む。
【０１５０】
図６を参照すると、この実施例による連結管１４８はアセンブリヒンジ部１４６の内側に挿入される。この実施例による連結管１４８にはアセンブリヒンジ部１４６に接する部分でスチームが流動するように開口した連結管孔１４９が形成される。連結管１４８はアセンブリヒンジ部１４６の内側に固定配置される。したがって、アセンブリヒンジ部１４６が回転しても、連結管１４８の配置は変更されない。
【０１５１】
この実施例によるアセンブリヒンジ部１４６は連結管１４８の外縁に配置される。この実施例によるアセンブリヒンジ部１４６はアセンブリドア１３０に固定連結される。したがって、アセンブリヒンジ部１４６はアセンブリドア１３０の回転によって一緒に回転する。この実施例によるアセンブリヒンジ部１４６には連結管１４８の内部と第２衣類処理室１２を連通するアセンブリヒンジ部孔１４７が形成される。
【０１５２】
この実施例によるアセンブリヒンジ部孔１４７が連結管孔１４９と同じ方向に配置されるとき、連結管１４８を流動するスチームが第２衣類処理室１２に供給されるか、又は第２衣類処理室１２を流動するスチームが連結管１４８に流動される。
【０１５３】
この実施例によるドアアセンブリ１００では、アセンブリドア１３０が第２衣類処理室１２を閉鎖するとき、連結管１４８と第２衣類処理室１２が連通することができる。この実施例によるドアアセンブリ１００では、アセンブリドア１３０が第２衣類処理室１２を開放するとき、連結管１４８と第２衣類処理室１２が連通しないように構成される。
【０１５４】
すなわち、図６の(ａ)を参照すると、この実施例によるドアアセンブリ１００は、アセンブリドア１３０が第２衣類処理室１２を閉鎖するとき、アセンブリヒンジ部孔１４７が連結管孔１４９と同じ方向に配置されることができる。また、図６の(ｂ)を参照すると、この実施例によるドアアセンブリ１００は、アセンブリドア１３０が第２衣類処理室１２を開放するとき、アセンブリヒンジ部孔１４７と連結管孔１４９が互いに異なる方向に配置されることができる。
【０１５５】
図７は本発明のさらに他の実施例によるドアアセンブリを示す斜視図である。図８は乃至図１０は本発明のさらに他の実施例によるドアアセンブリの構成及び開閉構造を説明する図である。図１１は本発明のさらに他の実施例によるドアアセンブリの内部構造を説明する図である。
【０１５６】
以下、図７乃至図１０を参照しながら、この実施例によるドアアセンブリの構成について説明する。
【０１５７】
図７を参照すると、本発明のさらに他の実施例による衣類処理装置１０００のドアアセンブリ１００は、内側に少なくとも２つの衣類を押圧してシワを除去できるように、アセンブリハウジング１１０とアセンブリドア１３０の間に仕切り板１６０が配置される。したがって、仕切り板によって複数の衣類を同時に押圧することができる。
【０１５８】
この実施例によるアセンブリハウジング１１０の内側面１１１ａには、衣類を固定する第１固定部材１１４１と、仕切り板１６０と共にアセンブリハウジング１１０に固定される衣類を押圧する第１ベース板１１５とが配置される。
【０１５９】
第１ベース板１１５は、アセンブリハウジング１１０に固定される第１ベース固定板１１６と、第１ベース固定板１１６から延長して形成され、第１ベース固定板１１６に比べてアセンブリハウジング１１０の内側面１１１ａからもっと離隔して形成され、衣類に弾性力を提供する第１ベース弾性板１１６ａ、１１６ｂとを含む。
【０１６０】
この実施例によるアセンブリドア１３０の内側面１３１には、衣類を固定する第２固定部材１３４１と、仕切り板１６０と共にアセンブリドア１３０に固定される衣類を押圧する第２ベース板１３５とが配置される。
【０１６１】
第２ベース板１３５は、アセンブリドア１３０に固定される第２ベース固定板１３６と、第２ベース固定板１３６から延長して形成され、第２ベース固定板１３６に比べてアセンブリドア１３０の内側面１３１からもっと離隔して形成され、衣類に弾性力を提供する第２ベース弾性板１３６ａ、１３６ｂとを含む。
【０１６２】
仕切り板１６０はアセンブリハウジング１１０又はアセンブリドア１３０の一側にヒンジ固定される。図１０を参照すると、この実施例による仕切り板１６０はアセンブリドア１３０の一側にヒンジ固定される。この実施例による仕切り板１６０は、一側でアセンブリドア１３０に回転自在に固定され、他側でアセンブリドア１３０に着脱自在に固定される。この実施例による仕切り板１６０が他側でアセンブリドア１３０に固定されるとき、仕切り板１６０はアセンブリドア１３０との間隔が維持される。
【０１６３】
この実施例による仕切り板１６０は、アセンブリドア１３０に回転自在に固定される仕切り板−ヒンジ部１６２と、仕切り板−ヒンジ部１６２を軸として仕切り板が回転することにより仕切り板１６０をアセンブリドア１３０の一側に固定或いは固定解除する固定突起１６４を含む。この実施例によるアセンブリドア１３０の一側には固定突起１６４が固定或いは固定解除されるように構成された固定溝部１４２を含む。
【０１６４】
この実施例による仕切り板１６０の固定突起１６４とアセンブリドア１３０の固定溝部１６６はワンタッチクリックボタンであってもよい。したがって、仕切り板１６０の固定突起１６４をアセンブリドア１３０に向かって押圧すると、仕切り板１６０がアセンブリドア１３０に固定或いは固定解除される。
【０１６５】
固定突起１６４は仕切り板１６０をアセンブリドア１３０に固定してアセンブリドア１３０との間隔を維持し、アセンブリドア１３０に載置された衣類を押圧する。固定突起１６４は仕切り板１６０をアセンブリドア１３０から固定解除して、アセンブリドア１３０に衣類を載置したり、載置された衣類を除去する。
【０１６６】
この実施例によるアセンブリハウジング１１０とアセンブリドア１３０は一定間隔離隔して配置される。この実施例によるアセンブリハウジング１１０、仕切り板１６０及びアセンブリドア１３０は、一定間隔離隔して配置される。第２衣類処理室１２が閉じた状態で、アセンブリハウジング１１０の第１ベース弾性板１１６ａ，１１６ｂから仕切り板１６０まで離隔した距離Ｄ１は、仕切り板１６０からアセンブリドア１３０の第２ベース弾性板１３６ａ，１３６ｂまで離隔した距離Ｄ２と同一である。第２衣類処理室１２が閉じた状態で、アセンブリハウジング１１０の第１ベース弾性板１１６ａ，１１６ｂから仕切り板１６０まで離隔した距離Ｄ１と、仕切り板１６０からアセンブリドア１３０の第２ベース弾性板１３６ａ，１３６ｂまで離隔した距離Ｄ２は'０'である状態を含む。即ち、第２衣類処理室１２が閉じた状態で、アセンブリハウジング１１０の第１ベース弾性板１１６ａ，１１６ｂとアセンブリドア１３０の第２ベース弾性板１３６ａ，１３６ｂはそれぞれ仕切り板１６０に密着した状態である。
【０１６７】
但し、第２衣類処理室１２が閉じた状態で、アセンブリハウジング１１０の第１ベース弾性板１１６ａ，１１６ｂから仕切り板１６０まで離隔した距離Ｄ１と、仕切り板１６０からアセンブリドア１３０の第２ベース弾性板１３６ａ，１３６ｂまで離隔した距離Ｄ２は、載置される衣類の種類を考慮して互いに異なる間隔に設定することができる。
【０１６８】
第２衣類処理室１２が閉じた状態で、第１ベース板１１５の第１ベース弾性板１１６ａ，１１６ｂと第２ベース板１３５の第２ベース弾性板１３６ａ，１３６ｂは、仕切り板１６０に接するか又は近接して配置される。第２衣類処理室１２が閉じた状態で、アセンブリハウジング１１０に衣類が載置されるとき、第１ベース弾性板１１６ａ，１１６ｂは載置した衣類によってアセンブリハウジング１１０の方向に移動する。第２衣類処理室１２が閉じた状態で、アセンブリドア１３０に衣類が載置されるとき、第２ベース弾性板１３６ａ，１３６ｂは載置された衣類によってアセンブリドア１３０の方向に移動する。
【０１６９】
仕切り板１６０の固定突起１６４がアセンブリドア１３０の固定溝部１６６に固定されると、仕切り板１６０とアセンブリドア１３０の第２ベース板１３５によって、アセンブリドア１３０に載置された衣類が押圧される。仕切り板１６０がアセンブリドア１３０に固定した状態で、アセンブリドア１３０がアセンブリハウジング１１０に固定されると、仕切り板１６０とアセンブリハウジング１１０の第１ベース板１１５によって、アセンブリハウジング１１０に載置された衣類が押圧される。
【０１７０】
図１２は従来の衣類処理装置の一実施例を示す図である。
【０１７１】
従来の衣類処理装置の場合、ドアの内側には、衣類を固定する補助衣類掛け５２１，５２２と、補助衣類掛けの下側に備えられて衣類を押圧する押圧部６０が設けられる。補助衣類掛け５０は、ハンガー５２２と、ドアに備えられてハンガー５２２が固定される衣類掛け５２１とを含み、押圧部６０は衣類の一面を支持する支持部６５と、支持部６５に向けて回転自在に設けられて衣類の他面を押圧する圧迫部６６と、圧迫部６６の下側に備えられて衣類の捩れを防止する防止部６７とを含む。
【０１７２】
しかし、これは圧迫部６６が回転しながら押圧するので、衣類を均等に圧迫されないという問題があり、衣類Ｐが圧迫部６５により押圧される過程において、圧迫部６５に押されて衣類Ｐがよじれたり位置がずれたりする問題がある。即ち、従来の衣類処理装置では、圧迫部６５によって衣類Ｐにシワが多く発生したり、意図しない方向にクリースが入ったりする問題もある。
【０１７３】
また従来の衣類処理装置は下衣などのように区分された領域がある衣類の場合、区分された領域をそれぞれ押圧できない問題がある。例えば、従来の衣類処理装置では、ズボンなどの下衣の場合、左足に着用する第１部分と右足に着用する第２部分が互いに重なって押圧される。
【０１７４】
よって、第１部分と第２部分の押圧過程において、互いにすれ違って重なるか、あるいは位置が変わって衣類の意図しない領域にクリースが入る問題がある。
【０１７５】
また第１部分と第２部分の対向する領域には熱風や水分(スチームを含む)が供給されないので、乾燥及び脱臭などのリフレッシャー(ｒｅｆｒｅｓｈ)が円滑に行われない問題もある。
【０１７６】
図１３を参照すると、上記問題を解決するために、本発明による衣類処理装置１０００の一実施例は、前方に開口部を備えるキャビネット１０と、キャビネット１０に回転自在に設けられて開口部を開閉するドアアセンブリ１００と、キャビネット１０に設けられて衣類Ｐが収容される収容空間１４を提供する第１衣類処理室１１と、第１衣類処理室１１に連通して収容空間１４に空気及び水分のうちのいずれか１つを供給する機械室２０と、第１衣類処理室１１及びドアアセンブリ１００のうちのいずれか１つに設けられて衣類を押圧するアイロン押圧部６０とを含む。図１１はアイロン押圧部がドアアセンブリに備えられた場合を示しているが、アイロン押圧部はかえってアセンブリではなく、第１衣類処理室に備えられてもよい。ここでは、ドアアセンブリに備えられた場合について説明する。
【０１７７】
キャビネット１０は衣類処理装置１０００の外観を形成するように設けられ、高さが幅よりも長く形成される。これにより、下衣などの長い衣類Ｐも折らずに収容空間１４に収容でき、衣類Ｐにシワができることを防止することができる。
【０１７８】
キャビネット１０は金属材質で形成され、強度を維持できれば、強化プラスチックなどの樹脂材で形成されてもよい。
【０１７９】
第１衣類処理室１１は、さらにキャビネット１０内に位置して収容空間１４を形成するインナーボディ１１ａを含む。インナーボディ１１ａは衣類Ｐから排出された異物質や機械室２０から供給された熱風や水分により変形されたり化学反応を起こしたりせず、強度を維持できる材質で形成される。一例としてＡＢＳ、ＡＳＡのようなスチレン樹脂系列で形成される。
【０１８０】
インナーボディ１１ａは一面又は下側に機械室２０に連通するように設けられて機械室２０から熱風や水分が供給されるか、又は機械室２０に空気を排出するように備えられる。そのために、インナーボディ１１ａは機械室２０に連通する複数の貫通口３６、３７、４２を含む。
【０１８１】
さらにキャビネット１０には収容空間１４から分離された機械室２０が備えられる。機械室２０は空気より相対的に密度が低い加熱された空気やスチームを供給するために、収容空間１４の下部に設けられる。
【０１８２】
即ち、機械室２０により収容空間１４に供給される空気は加熱された空気(ｈｅａｔｅｄ ａｉｒ、熱風)であり、機械室２０により収容空間１４に供給される水分はスチームである場合、機械室２０が収容空間１４の下部に位置されるだけで、熱風やスチームを別途の送風装置なしに収容空間１４内に均等に供給することができる。
【０１８３】
一方、図１３乃至図１９に示された様々な実施例におけるドアアセンブリ１００は、簡略な説明のために、図１乃至図１１に示されたドアアセンブリ１００とは異なり、第２衣類処理室１２などを備えない平面形状であり、開口部の開閉のためのものである。即ち、ドアアセンブリ１００は、キャビネット１０に回転自在に結合して開口部を開閉するように備えられる。ドアアセンブリ１００はインナーボディ１１ａだけではなく、機械室２０の前方まで遮蔽するように備えられる。これにより、収容空間１４に供給された熱風や水分が外部に流出することを防止するだけではなく、機械室２０で発生した熱が外部に伝達されることを遮断することができる。
【０１８４】
ドアアセンブリ１００はインナーボディ１１ａの前方を開閉するように備えられるので、インナーボディ１１ａの内周面とドアアセンブリ１００の内面は収容空間１４の外周面を形成することができる。
【０１８５】
アイロン押圧部６０は衣類Ｐを両面から押圧して衣類Ｐに発生したシワを除去するか又は衣類Ｐにユーザが意図したクリースを形成する。アイロン押圧部がドアアセンブリに備えられた場合を示しているが、アイロン押圧部はドアアセンブリではなく、第１衣類処理室に備えられてもよい。ここでは、ドアアセンブリに備えられた場合について説明する。したがって、ドアアセンブリはアイロン押圧部を含む。
【０１８６】
言い換えれば、アイロン押圧部６０はアイロンかけの役割を果たして、ユーザが衣類Ｐの乾燥、脱臭が終了した後にアイロンかけを行う必要がない。
【０１８７】
アイロン押圧部６０ではアイロンかけなどが必要な上衣及び下衣を含む衣類Ｐが押圧される。
【０１８８】
具体的には、アイロン押圧部６０は、第１衣類処理室１１とドアアセンブリ１００のうちのいずれかに設けられて衣類を支持する支持ボディ６１と、支持ボディ６１に向けて回転自在に設けられて支持ボディ６１に支持される衣類を押圧する押圧ボディ６２とを含む。
【０１８９】
図１３は支持ボディ６１がドアアセンブリ１００の内面に備えられたことを示しているが、衣類の一面を支持できれば、インナーボディ１１ａの内面に備えられてもよい。
【０１９０】
支持ボディ６１は衣類の一面が押圧ボディ６２に押圧されるとき、形状が変化しないように板状で設けられる。具体的には、支持ボディ６１は衣類Ｐと面接触するように備えられる接地板６１２を含み、衣類Ｐに備えられたミシン目を回避するか、又は衣類Ｐの両端に押圧される力を集中させるように、接地板６１２で長手方向にそって陥没して備えられる固定溝６１１をさらに含む。
【０１９１】
これにより、押圧ボディ６２が支持ボディ６１を押圧するとき、接地板６１２に圧力が集中して衣類Ｐのシワを効果的に除去できるだけではなく、衣類Ｐの両端にクリースを鮮明に形成することができる。さらにミシン目によって衣類Ｐに意図しないシワが形成されることを防止することができる。
【０１９２】
押圧ボディ６２は支持ボディ６１に回転自在に結合され、支持ボディ６１が備えられたインナーボディ１１ａの内面又はドアアセンブリ１００の内面に回転自在に結合される。即ち、押圧ボディ６２は支持ボディ６１に近づくか又は遠くなるように回転できれば、どこに設けられてもよい。
【０１９３】
押圧ボディ６２はインナーボディ１１ａ、ドアアセンブリ１００、支持ボディ６１の一側のうちのいずれか１つに備えられた連結ヒンジ８０で回転自在に設けられる。
【０１９４】
即ち、連結ヒンジ８０は支持ボディ６１に備えられるか、又は支持ボディ６１が備えられたインナーボディ１１ａやドアアセンブリ１００の内面に備えられる。
【０１９５】
連結ヒンジ８０は、押圧ボディ６２を回転自在に支持する第１連結ヒンジ８１と第１連結ヒンジ８１の下部に設けられて押圧ボディを回転自在に支持する第２連結ヒンジ８２とを含む。
【０１９６】
さらに押圧ボディ６２は、支持ボディ６１に向けて回転自在に設けられる押圧板６２２と、衣類Ｐのミシン目を回避するか又は衣類Ｐの両端に押圧される力を集中させるように押圧板６２２の長手方向にそって陥没して備えられる万曲溝６２１を含む。
【０１９７】
これにより、押圧ボディ６２は支持ボディ６１に向かって回転して衣類Ｐの一面を押圧し、支持ボディ６１は作用／反作用によって衣類Ｐの他面を押圧することができる。
【０１９８】
アイロン押圧部６０はさらに支持ボディ６１と押圧ボディ６２の間で支持ボディと押圧ボディに向けて回転自在に設けられるアイロン仕切り部６３を含む。
【０１９９】
具体的には、アイロン仕切り部６３は支持ボディ６１と押圧ボディ６２の間に回転自在に設けられるアイロン仕切りボディ６３１を含む。アイロン仕切りボディ６３１は押圧ボディ６２と支持ボディ６１の面積に対応する面積で形成される。これにより、押圧ボディ６２、アイロン仕切りボディ６３１及び支持ボディ６１のうちのいずれか１つに配置された衣類を全て押圧することができる。
【０２００】
アイロン仕切りボディ６３１も第１連結ヒンジ８１と第２連結ヒンジ８２に回転自在に結合されて押圧ボディ６２とは別途に回転するように設けられ、押圧ボディ６２と一体に回転するように備えられる。
【０２０１】
アイロン仕切りボディ６３１は独自的に支持ボディ６１に向かって回転するように設けられ、押圧ボディ６２が支持ボディ６１に向かって回転するとき、一緒に押圧されて支持ボディ６１に向かって回転するように備えられることもできる。
【０２０２】
図１４はアイロン押圧部６０に衣類Ｐが設けられて押圧される態様を示す図である。
【０２０３】
図１４を参照すると、ユーザの左足に着用する第１部分Ｐ１と、右足に着用する第２部分Ｐ２とに区分される下衣の場合、第１部分と第２部分のうちのいずれか一方は押圧ボディ６２とアイロン仕切りボディ６３１に押圧されるように設けられ、第１部分と第２部分のうちの他方はアイロン仕切り部６３と支持ボディ６１に押圧されるように設けられる。
【０２０４】
例えば、衣類Ｐのうち、第１部分Ｐ１と第２部分Ｐ２がアイロン仕切りボディ６３１の下端又は上端に配置され、第１部分Ｐ１はアイロン仕切りボディ６３１のうち、押圧ボディ６２に向かって設けられた一面に支持され、第２部分Ｐ２は支持ボディ６１に向かって設けられた他面にそれぞれ分離されて支持される。
【０２０５】
このとき、第１部分Ｐ１と第２部分Ｐ２はアイロン仕切りボディ６３１の上部又は下部で再び重ねて固定されることもできる。したがって、衣類の第１部分Ｐ１と第２部分Ｐ２が自重によって広げられ、互いに重畳しないことができる。これにより、衣類の第１部分Ｐ１と第２部分Ｐ２をそれぞれ正確に押圧してシワを除去するか、又は両端にクリースを正確に形成することができる。
【０２０６】
さらにアイロン仕切りボディ６３１の両面又は一面に導出して設けられる維持台６３２を含む。
【０２０７】
維持台６３２は支持ボディ６１と押圧ボディ６２が過度に密着することを防止して、衣類Ｐが押圧ボディ６２やアイロン仕切り部６３により押圧されるとき、位置が変わることを防止することができる。
【０２０８】
そのために、維持台６３２はアイロン仕切りボディ６３１より摩擦力が大きいか又は緩衝力のある他の材質で形成されることができる。
【０２０９】
一方、支持ボディ６１と押圧ボディ６２の間に一定の厚さを有するアイロン仕切り部６３及び衣類が配置されるので、押圧ボディ６２が押圧しても反作用によって押圧ボディ６２が支持ボディ６１の反対方向に回転する恐れがある。
【０２１０】
これを防止するために、本発明による衣類処理装置１０００はさらに、支持ボディ６１に設けられて押圧ボディを固定する結合フック６１３と、押圧ボディに設けられて結合フックに固定されるフック結合部６２３を含む。
【０２１１】
一例として、フック結合部６２３は押圧板６２２の周り面に突出して備えられるフック突起６２３を含み、結合フック６１３はフック突起６２３に締結されるようにフック状で形成される。
【０２１２】
一方、結合フック６１３はフック結合部６２３に挿入されて締結されるように備えられることもでき、支持ボディ６１が押圧ボディ６２に結合して押圧ボディ６２がアイロン仕切り部６３及び支持ボディ６１を押圧することを維持できれば、いかなる形状及び構造であってもよい。
【０２１３】
図１４は衣類Ｐとして１つの下衣が備えられたことを示しているが、これは一実施例に過ぎず、アイロン押圧部６０に複数の衣類が設けられることもできる。言い換えれば、複数の衣類が備えられる場合、ある１つの衣類はアイロン仕切り部６３と押圧ボディ６２の間に配置され、他の衣類はアイロン仕切り部６３と支持ボディ６１の間に配置されることができる。また後述する実施例では、かかるアイロン仕切り部を複数個備えて、衣類をそれぞれ配置することもできる。
【０２１４】
これにより、押圧ボディ６２が支持ボディ６１に向かって回転する場合、押圧ボディ６２はいずれか１つの衣類をアイロン仕切りボディ６３１に押圧し、アイロン仕切りボディ６３１は他の衣類を支持ボディ６１に押圧することができる。
【０２１５】
したがって、複数の衣類を１つのアイロン押圧部６０で全部押圧して、シワを除去したりクリースを形成したりすることができる。
【０２１６】
なお、上衣などの衣類が備えられた場合は、アイロン仕切りボディ６３１の外周面に挟まれて、アイロン仕切りボディ６３１を収容するように固定されて衣類の一面と他面が同時に押圧ボディ６２と支持ボディ６１に押圧されるように備えることもできる。
【０２１７】
一方、支持ボディ６１と押圧ボディ６２の間にアイロン仕切り部６３が設けられると、その間に機械室２０から供給される水分や熱風が衣類に供給されることが難しくなる。したがって、アイロン押圧部６０は衣類Ｐに熱やスチームを供給できる別途の構成が必要である。
【０２１８】
なお、支持ボディ６１はアイロン仕切りボディ６３１を着脱自在に結合できる結合部３１１を含む。結合部３１１はアイロン仕切りボディ６３１の外周面の一部が挿入されるフック方式で形成されるか、又は押圧ボディ６２に備えられた締結部が同時に結合されるように形成される。
【０２１９】
図１５はアイロン押圧部６０に熱やスチームを別途に供給できる構造を示す図である。図１５を参照すると、本発明によるアイロン仕切り部６３はさらに、アイロン仕切りボディ６３１の両面のうちのいずれか１つに設けられて衣類に熱を供給する加熱部６４を含む。
【０２２０】
加熱部６４はアイロン仕切り部６３と支持ボディ６１と押圧ボディ６２の間に押圧された衣類に熱エネルギーを供給して、シワを効果的に除去したり、クリースを効果的に生成することができる。
【０２２１】
加熱部６４は、アイロン仕切りボディ６３１の両面のうちのいずれか１つに設けられて外部に露出される加熱ボディ６４０と、アイロン仕切りボディ６３１及び加熱ボディ６４０のうちのいずれかに設けられて加熱ボディ６４０を加熱する熱線６３２０とを含む。
【０２２２】
加熱ボディ６４０は熱を伝達できる導体又は金属材質で形成され、熱線６３２０は電気エネルギーなどで加熱されて熱を加熱ボディ６４０に伝達する。
【０２２３】
加熱ボディ６４０はアイロン仕切りボディ６３１の両面に着脱自在に結合されて、アイロン仕切りボディ６３１の露出面を形成する。即ち、アイロン仕切りボディ６３１の両面のうち、ドアアセンブリ１００の内側面に近い面に結合する加熱ボディが第１−１加熱ボディ６４１１、アイロン仕切りボディ６３１の他面に備えられる加熱ボディが第２加熱ボディ６４１２になる。
【０２２４】
もちろん、加熱ボディと固定ボディが同じ材質で形成される場合は、加熱ボディ６４０はアイロン仕切りボディ６３１と一体に設けられることもできる。
【０２２５】
熱線６３２０は加熱ボディ６４０の背面に付着して備えられるが、安全性の面ではアイロン仕切りボディ６３１に備えられる方が望ましい。即ち、熱線６３２０はアイロン仕切りボディ６３１から加熱ボディ６４０に一定距離離隔して間接的に加熱ボディ６４０を加熱するように備えられる。
【０２２６】
熱線６３２０は本発明による衣類処理装置１０００のキャビネット１０又は機械室２０から電気エネルギーが供給されるように備えられ、第１連結ヒンジ８１又は第２連結ヒンジ８２によりアイロン押圧部６０の外部に連結される。熱線６３２０は加熱ボディ６４０の一面に均等に熱を供給するために、アイロン仕切りボディ６３１の両面に高さ方向及び幅方向を複数回往復しながら均等に設けられる。
【０２２７】
なお、加熱部６４は、アイロン仕切りボディ６３１及び加熱ボディ６４０のうちのいずれかに設けられてスチームが供給される供給流路６３１０と、加熱ボディ６４０を貫通してスチームが衣類に排出されるように備えられる複数の排出孔６４３とを含む。
【０２２８】
供給流路６３１０に供給された水は熱線６３２０で加熱されて、スチームが排出孔６４３を介して排出されるか、又はスチームやミストが直接供給される流路が形成されることもできる。
【０２２９】
供給流路６３１０はアイロン仕切りボディ６３１の高さ方向又は幅方向にそって一定距離離隔して複数個が備えられ、排出孔６４３は供給流路６３１０の延長方向にそって備えられる。これにより、排出孔６４３を介して均等にスチームが衣類Ｐに供給される。
【０２３０】
加熱部６４は供給流路６３１０と熱線６３２０のうちのいずれか１つのみを含むか、又は供給流路６３１０と熱線６３２０の両方を含むことができる。
【０２３１】
一方、加熱部６４は供給流路６３１０と熱線６３２０の両方を備える場合、熱線６３２０は供給流路６３１０と干渉しないように供給流路６３１０の外郭に備えられる。熱線６３２０は供給流路６３１０の外郭にそって備えられることもできる。
【０２３２】
一方、アイロン仕切り部６３は第１衣類処理室１１又はドアアセンブリ１００に回転自在に設けられるので、供給流路６３１０にスチームを供給する流路の設置領域が制限される。
【０２３３】
供給流路６３１０はアイロン仕切りボディ６３１に内挿されたり、アイロン仕切りボディ６３１の表面に備えられるメイン流路６３１２と、メイン流路６３１２からアイロン仕切りボディ６３１の高さ方向又は幅方向に複数個に分枝されて備えられる分枝流路６３１３と、分枝流路６３１３から同じ方向に延びてスチームを供給する噴射流路６３１４とを含む。
【０２３４】
このとき、スチームは密度が小さいので、移動が容易であり、複数の噴射流路６３１４は高さ方向に備えられることが好ましく、多い面積にスチームが噴射されるように幅方向に互いに離隔して備えられることが好ましい。
【０２３５】
これにより、メイン流路６３１２のみにスチームや水分又は水が供給された場合、噴射流路６３１４にそって分配されてアイロン仕切りボディ６３１で均等にスチームが噴射される。
【０２３６】
さらに供給流路６３１０は、アイロン仕切りボディ６３１の外部に備えられた補助スチーム供給部８５に連通するように設けられ、水又はスチームをメイン流路６３１２に伝達する連通流路６３１１を含む。
【０２３７】
一方、熱線６３２０は第１連結ヒンジ８１と第２連結ヒンジ８２のうちのいずれかに連通するように設けられ、メイン流路６３１１は第１連結ヒンジ８１と第２連結ヒンジ８２のうちのいずれかに連通するように設けられて、互いに重畳しないことができる。
【０２３８】
そのために、第１連結ヒンジ８１と第２連結ヒンジ８２には熱線やメイン流路６３１１が通過又は連通できる通路部８１１,８２１が備えられる。
【０２３９】
図１６は補助スチーム供給部８５が設けられてスチームを供給する構造を示す図である。
【０２４０】
補助スチーム供給部８５はキャビネット、機械室２０、ドア、押圧部のうち、ユーザの接近が容易な領域に備えられる。
【０２４１】
補助スチーム供給部８５はキャビネット、機械室２０、ドア及び押圧部のうちのいずれか１つに備えられる。衣類処理装置１０００が外部給水源に連結されない可能性があるので、補助スチーム供給部８５はキャビネット、機械室２０、ドア及び押圧部のうちのいずれか１つに着脱自在に設けられることが好ましい。
【０２４２】
また補助スチーム供給部８５は供給流路６３１０に最も近い領域に設けられることが有利であるので、アイロン仕切り部６３に備えられることが好ましく、押圧ボディ６２はユーザに最も早く露出される領域であるので、押圧ボディ６２に備えられることが好ましい。
【０２４３】
押圧ボディ６２に補助スチーム供給部８５が着脱自在に設けられる場合、押圧ボディ６２は補助スチーム供給部８５が連結ヒンジ８０を連通するように備えられる連結流路６２２１をさらに含む。
【０２４４】
連結流路６２２１は補助スチーム供給部８５から供給された水分やスチームを排出可能な管状で形成され、押圧ボディ６２に内挿されて設けられる。
【０２４５】
これにより、第２連結ヒンジ８２で連結流路６２２１と連通流路６３１１が互いに連通するように備えられ、補助スチーム供給部８５で発生した水分やスチームが排出孔６４３に完全に排出される。
【０２４６】
一方、供給流路６３１０はアイロン仕切りボディ６３１に内挿されて備えられ、アイロン仕切りボディ６３１は加熱部６４の排出孔６４３に連通するように設けられる複数の貫通孔を有することができる。
【０２４７】
これにより、供給流路６３１０がアイロン仕切りボディ６３１の両面にそれぞれ設けられず、アイロン仕切りボディ６３１内に備えられることにより、アイロン仕切りボディ６３１の厚さを減少することができる。また１つの供給流路６３１０を介してアイロン仕切りボディ６３１の両面にスチームを全部供給できるという利点がある。
【０２４８】
図１７は補助スチーム供給部８５の一実施例を示す図である。上述したように、補助スチーム供給部８５は押圧ボディ６２に着脱自在に設けられる。
【０２４９】
補助スチーム供給部８５は、押圧部のうちのいずれか１つに着脱自在に設けられて水を収容する補助水タンク８５０と、補助水タンク８５０の水を加熱してスチームを発生させる補助ヒーター８５４と、補助水タンク８５０と供給流路６３１０を連通してスチームを排出する排出口８５２とを含む。
【０２５０】
補助水タンク８５０は一定の体積を有するケース状であり、水の供給や洗浄を容易にするために上面に開放部が設けられ、開放面を遮蔽するためのカバー８５３をさらに含む。
【０２５１】
補助水タンク８５０は補助ヒーター８５４が挿入されて固定されるヒーター挿入口８１１を一側に備え、補助ヒーター８５４はヒーター挿入口８１１に固定されて補助水タンク８５０に収容された水を加熱してスチームを形成するように備えられる。
【０２５２】
排出口８５２は密度が相対的に低いスチームが完全に排出されるように補助水タンク８５０の一側の上部に設けられ、連結流路６２２１に連通するように備えられる。
【０２５３】
さらに押圧ボディ６２は補助水タンク８５０を収容するように備えられる収容部６２３を含む。また補助水タンク８５０が収容部６２３に取り付けられたとき、補助水タンク８５０の露出面と押圧ボディ６２の一面が並んで設けられる。
【０２５４】
これにより、補助水タンク８５０に水が供給されると、加熱部６４を介して衣類Ｐにスチームが供給される。
【０２５５】
一方、加熱部６４は機械室２０又は補助水タンク８５０に連通して熱風や水分を直接受け、押圧ボディ６２と支持ボディ６１に向かって熱風や水分を排出するように備えることもできる。
【０２５６】
言い換えれば、加熱部６４はアイロン仕切りボディ６３１と一体に設けられて熱風及び水分を排出する排出孔６４３で備えられることができる。
【０２５７】
第１連結ヒンジ８１と第２連結ヒンジ８２には機械室２０に連通する流路が備えられ、アイロン仕切りボディ６３１には流路に連通して熱風や水分を加熱部６４に供給する供給流路が備えられる。
【０２５８】
加熱部６４が機械室２０に連通する場合、機械室２０から熱風や水分が収容空間１４に供給されると同時に加熱部６４にも供給されることができる。
【０２５９】
一方、機械室２０のスチーム発生器４１でアイロン仕切り部６３に連通してスチームを供給することもできる。
【０２６０】
即ち、図５のように、スチーム発生器４１はアイロン仕切り部６３に連結ヒンジ８０で連通するように備えられる別途のスチーム供給流路に連設され、スチーム供給管４１７は分枝されてアイロン仕切り部６３に連結ヒンジ８０に備えられた通路部８１１，８２１を介して連通することができる。
【０２６１】
これにより、スチーム発生器４１で発生したスチームがアイロン仕切り部６３に直接伝達されて衣類Ｐに供給することができる。このとき、熱線６３２０及び補助スチーム供給部８５は省略できる。
【０２６２】
図１８はアイロン押圧部６０に衣類を固定する載置部の構造を示す図である。
【０２６３】
図１８の(ａ)はアイロン押圧部６０から衣類が分離された状態を示しており、図１６の(ｂ)はアイロン押圧部６０に衣類が固定されている状態を示している。
【０２６４】
本発明による衣類処理装置１０００は、さらにアイロン押圧部６０の上部及び下部のうちのいずれかに設けられて衣類を載置又は固定する載置部９０を含む。載置部９０の位置は支持ボディ６１、押圧ボディ６２及びアイロン仕切り部６３で示してもよい。即ち、載置部９０の位置は支持ボディ６１、押圧ボディ６２及びアイロン仕切り部６３のうちの１つの上部又は下部に位置すると表示することができる。
【０２６５】
載置部９０は、押圧部の上部及び下部のうちのいずれかに設けられて衣類を支持する載置ボディ９１１，９２１と、載置ボディに結合して衣類を載置ボディに固定させる固定ボディ９１２，９２２とを含む。
【０２６６】
載置ボディ９１１，９２１は衣類を引っ張った状態で固定して押圧部９０に衣類が圧迫されるとき、衣類にシワがついたり、位置が変わったりすることを防止することができる。
【０２６７】
このとき、仕切り部９３が回転する状態で載置部９０が固定されていると、衣類が損傷する恐れがある。したがって載置ボディ９１１，９２１は仕切り部９３に対応して回転するように備えられる。
【０２６８】
また固定ボディ９１２，９２２は載置ボディ９１１，９２１に回転自在に結合して固定ボディ９１２，９２２と載置ボディ９１１，９２１に衣類が挟まれて固定されるように備えられる。
【０２６９】
載置ボディ９１１，９２１は固定ボディ９１２，９２２とフック結合されて任意に衣類Ｐが離脱することを防止する。例えば、載置ボディ９１１，９２１には載置部フック結合部９１１２が備えられ、固定ボディ９１２，９２２には結合フックが結合される載置部結合フック９１２２が備えられる。
【０２７０】
また、載置部９０はアイロン押圧部６０の上部のみに設けられて衣類Ｐを固定することにより、衣類Ｐが自重によって引っ張られる。
【０２７１】
しかし、アイロン押圧部６０が衣類Ｐを押圧する荷重が相対的に大きいか、又は衣類Ｐの一側から他側に向かって押圧する場合は、衣類Ｐの位置が変わったりシワがついたりする可能性がある。
【０２７２】
したがって、載置部９０はアイロン押圧部６０の上部及び下部の両方に設けられて衣類Ｐに十分な張力を提供することにより、衣類Ｐのシワや位置変化を防止する。
【０２７３】
図１８の(ａ)を参照すると、載置部９０はアイロン押圧部６０の上部に備えられる第１載置部９１とアイロン押圧部６０の下部に備えられる第２載置部９２とを含む。
【０２７４】
第１載置部９１と第２載置部９２はアイロン仕切り部６３に対応して一緒に回転するように備えられる。
【０２７５】
第１載置部９１は、アイロン仕切り部６３の上部に回転自在に設けられる第１載置ボディ９１１と、第１載置ボディ９１２に回転自在に結合して衣類を固定する第１固定ボディ９１２とを含む。
【０２７６】
第１載置ボディ９１１は幅より長さが長い板状であり、第１固定ボディ９１２は第１載置ボディ９１１に回転自在に結合され、自由端が第１載置ボディ９１１に着脱自在に結合される。
【０２７７】
第１載置ボディ９１１はさらに、一面が万曲して設けられ、衣類が収容される収容溝９１１１を含む。したがって、衣類が過度に圧迫されることを防止することができる。
【０２７８】
一方、第２載置部９２は、アイロン仕切り部６３の下部に回転自在に設けられる第２載置ボディ９２１と、第２載置ボディに回転自在に結合されて衣類を固定する第２固定ボディ９２２とを含む。
【０２７９】
第２載置ボディ９２１は衣類の第１部分(Ｐ)が挿通する第１貫通スリット９２１４を含み、第２固定ボディ９２２は衣類の第２部分が挿通する第２貫通スリット９２２３を含む。
【０２８０】
これにより、衣類の第１部分Ｐ１と第２部分Ｐ２が第１貫通スリットと第２貫通スリットに挿入されて、仕切り部９３の両面に区分されて案内される。
【０２８１】
したがって、図１８の(ｂ)を参照すると、衣類Ｐの第１部分Ｐ１は第２貫通スリット９２２３に挿入されてアイロン仕切り部６３の一面と押圧ボディ６２の間に案内され、衣類Ｐの第２部分Ｐ２は第１貫通スリット９２１４に挿入されてアイロン仕切り部６３の他面と支持ボディ６１の間に案内される。
【０２８２】
衣類の第１部分Ｐ１と第２部分Ｐ２はアイロン押圧部６０の上部で互いに重畳して、第１載置ボディ９１１と第１固定ボディ９１２に挿入されて固定される。
【０２８３】
このとき、衣類の第１部分Ｐ１と第２部分Ｐ２はきりきりと引っ張られた状態で第１載置ボディ９１１と第１固定ボディ９１２に挿入されて固定される。
【０２８４】
一方、第１載置部９１も貫通スリットを備えることができ、第２載置部９２にも収容溝が備えられることができる。これにより、ユーザは必要に応じて衣類Ｐの載置方向を調節することができる。
【０２８５】
図１９は本発明の一実施例による衣類処理装置１０００に衣類Ｐが載置される過程を示す図である。
【０２８６】
図１９の(ａ)を参照すると、第１固定ボディ９２１と第１載置ボディ９１１は互いに分離され、第２固定ボディ９２２と第２載置ボディ９２１も互いに分離された状態で備えられる。押圧ボディ６２、支持ボディ６１、アイロン仕切り部６３も互いに分離できる。
【０２８７】
図１９の(ｂ)を参照すると、第２載置ボディ９２１と第２固定ボディ９２１に備えられた貫通スリットに衣類Ｐの第１部分Ｐ１と第２部分Ｐ２を挿入して、第１部分Ｐ１をアイロン仕切り部６３と押圧ボディ６２の間に配置し、第２部分Ｐ２をアイロン仕切り部６３と支持ボディ６１の間に配置する。
【０２８８】
その後、衣類Ｐの第１部分Ｐ１と第２部分Ｐ２の自由端を互いに重畳してきりきりと引っ張った後、衣類Ｐの第１部分Ｐ１と第２部分Ｐ２がぴんと張った状態で第１載置ボディ９１１と第２固定ボディ９２１に固定する。
【０２８９】
図１９の(ｃ)を参照すると、第１載置部９１と第２載置部９２及びアイロン仕切り部６３を支持ボディ６１に向かって回転させる。このとき、支持ボディ６１とアイロン仕切り部６３を結合して分離を防止する。
【０２９０】
図１９の(ｄ)を参照すると、押圧ボディ６２を支持ボディ６１に回転させてアイロン仕切り部６３を押圧する。その後、押圧ボディ６２と支持ボディ６１を結合して任意に分離されることを防止する。
【０２９１】
これにより、衣類Ｐの第１部分Ｐ１と第２部分Ｐ２が全て押圧される。このとき、加熱部６４から熱及びスチームが供給されると、衣類Ｐの第１部分Ｐ１と第２部分Ｐ２にシワが除去され、クリースがつく。
【０２９２】
図２０は本発明の他の実施例を示す。すなわち、Ｄｏｏｒ ｉｎ ｄｏｏｒ形態のドアアセンブリ１００において、第２衣類処理室１２内にさらにアイロン仕切り部６３を含んでいる。図１及び図４を参照して説明したように、ドアアセンブリ１００は内側に衣類を押圧してシワを除去する第２衣類処理室１２を形成する。この実施例によるドアアセンブリ１００は第２衣類処理室１２を開閉するアセンブリドア１３０を含む。この実施例によるアセンブリドア１３０はドアアセンブリ１００の前方Ｆに配置されて、ドアアセンブリ１００内に形成された第２衣類処理室１２を前方Ｆに開閉することができる。
【０２９３】
第２衣類処理室１２はドアアセンブリ１００内に配置される。第２衣類処理室１２はドアアセンブリ１００において前方に開放した形態であり、アセンブリドア１３０によって外部から遮断される。アセンブリドア１３０は第２衣類処理室１２の内部空間を開閉するドア機能を行う。すなわち、ドアアセンブリ１００ではアセンブリハウジング１１０によって第１衣類処理室１１を開閉せず、第２衣類処理室１２のみをアセンブリドア１３０により開閉することができる。これをＤｏｏｒ ｉｎ Ｄｏｏｒタイプという。
【０２９４】
第２衣類処理室１２には、衣類を固定して下側Ｄに垂れる固定部材１１４、内部に配置された衣類を支持するベース板１１３及びベース板１１３に密着して間に配置された衣類を押圧するプレス板１３２が配置される。またこれらの間にアイロン仕切り部６３が回転自在に結合されている。アイロン仕切り部はベース板１１３に回転自在に結合されているが、これは一実施例に過ぎず、ベース板１１３、プレス板１３２及びアイロン仕切り部６３が回転により互いに対応する形状で結合できれば、どこに連結されてもよい。すなわち、アイロン仕切り部６３がベース板１１３とヒンジ連結されてもよく、アイロン仕切り部６３がプレス板１３２とヒンジ結合されてもよい。また、アイロン仕切り部６３がアセンブリドア１３０或いはドアアセンブリ１００に回転自在に結合されていてもよい。
【０２９５】
図２０にはスチーム供給のために、図１６のように、補助スチーム供給部８５が設けられてスチームを供給できる構造が示されている。補助スチーム供給部８５はキャビネット１０、機械室２０及びドアアセンブリ１００のうちのいずれかに着脱可能に備えられることが好ましい。すなわち、図１４のように、補助スチーム供給部８５は第２ベース板１３４に備えられて連通流路を介して第１アイロン仕切り部６３０１及び第２アイロン仕切り部６３０２にスチームを供給することができる。熱線は各アイロン仕切り部にスチーム供給のための供給流路との干渉を防止するために供給流路の外郭にそって備えられる。またドアアセンブリは、アイロン仕切り部と支持ボディを回転自在に結合する連結ヒンジと、連結ヒンジに備えられて熱線や供給流路が通過する通路部とを含む。
【０２９６】
一方、機械室２０のスチーム発生器４１でアイロン仕切り部６３に連通してスチームを供給することもできる。
【０２９７】
即ち、図５のように、スチーム発生器４１はキャビネットヒンジ部１４４及びアセンブリヒンジ部１４６を経てアイロン仕切り部を連結する連結ヒンジ８０で連通するように備えられる別途のスチーム供給流路に連結されて設けられ、スチーム供給管４１７は分枝されてアイロン仕切り部６３０１を連結する連結ヒンジ８０に備えられた通路部８１１，８２１を介して連通するように備えられる。以下の説明は、図を参照すれば通常の技術者に明らかであるので、省略する。
【０２９８】
図２１は本発明の他の実施例を示す。すなわち、Ｄｏｏｒ ｉｎ ｄｏｏｒ形態のアセンブリ１００において、第２衣類処理室１２内に複数のアイロン仕切り部６３をさらに含んでいる。したがって、複数の衣類を同時に押圧、加熱及びスチーム供給することができる。図２１は２つのアイロン仕切り部及び１つの仕切り板１６０を含む。またアセンブリハウジング１１０の内側面１１１ａには衣類を固定する第１固定部材１１４１と、仕切り板１６０と共にアセンブリハウジング１１０に固定される衣類を押圧する第１ベース板１１５とが配置される。
【０２９９】
第１ベース板１１５は、アセンブリハウジング１１０に固定される第１ベース固定板１１６と、第１ベース固定板１１６から延長して形成され、第１ベース固定板１１６に比べてアセンブリハウジング１１０の内側面１１１ａからもっと離隔して形成され、衣類に弾性力を提供する第１ベース弾性板１１６ａ、１１６ｂとを含む。
【０３００】
この実施例によるアセンブリドア１３０の内側面１３１には、衣類を固定する第２固定部材１３４１と、仕切り板１６０と共にアセンブリドア１３０に固定される衣類を押圧する第２ベース板１３５とが配置される。
【０３０１】
第２ベース板１３５は、アセンブリドア１３０に固定される第２ベース固定板１３６と、第２ベース固定板１３６から延長して形成され、第２ベース固定板１３６に比べてアセンブリドア１３０の内側面１３１からもっと離隔して形成され、衣類に弾性力を提供する第２ベース弾性板１３６ａ、１３６ｂとを含む。
【０３０２】
第１ベース板１１５と仕切り板１６０の間に第１アイロン仕切り部６３０１が備えられ、仕切り板１６０と第２ベース板１３５の間に第２アイロン仕切り部６３０２が備えられる。また、第１アイロン仕切り部６３０１及び第２アイロン仕切り部６３０２も回転自在にヒンジ結合されている。すなわち、第１アイロン仕切り部６３０１、第２アイロン仕切り部６３０２及び仕切り板１６０がアセンブリヒンジに回転自在に結合される。一方、第１アイロン仕切り部が第１ベース板１１５とヒンジ結合されるか、又は第２アイロン仕切り部が第２ベース板１１６とヒンジ結合されることができる。すなわち、互いに回転して対応する形状に結合できれば、いかなる結合であってもよい。
【０３０３】
図１６のように、補助スチーム供給部が備えられることができる。但し、以下の説明は図１６から通常の技術者に明らかであるので、説明を省略する。
【０３０４】
以上では本発明の好適な実施例について図示して説明したが、本発明は上述した特定の実施例に限定されず、特許請求の範囲で請求する本発明の要旨を逸脱することなしに、本発明が属する技術分野における通常の知識を有する者によって多様な変形実施が可能であり、このような変形実施は本発明の技術的思想又は見込みから外れたものと理解されてはいけないであろう。
【図１】
2021517494.tif 000003
【図２】
2021517494.tif 000004
【図３】
2021517494.tif 000005
【図４】
2021517494.tif 000006
【図５】
2021517494.tif 000007
【図６】
2021517494.tif 000008
【図７】
2021517494.tif 000009
【図８】
2021517494.tif 000010
【図９】
2021517494.tif 000011
【図１０】
2021517494.tif 000012
【図１１】
2021517494.tif 000013
【図１２】
2021517494.tif 000014
【図１３】
2021517494.tif 000015
【図１４】
2021517494.tif 000016
【図１５】
2021517494.tif 000017
【図１６】
2021517494.tif 000018
【図１７】
2021517494.tif 000019
【図１８】
2021517494.tif 000020
【図１９】
2021517494.tif 000021
【図２０】
2021517494.tif 000022
【図２１】
2021517494.tif 000023
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
衣類処理装置であって、
前方に開口部を備えるキャビネット；
前記開口部を開閉するドアアセンブリ；
前記キャビネット内に備えられて衣類が収容される空間を提供し、前記開口部を介して前記キャビネット外部と連通する第１衣類処理室；及び
前記第１衣類処理室と連通して前記第１衣類処理室にスチームを供給するスチーム供給部と空気を循環させる空気供給部のうちの何れか１つが配置される機械室；を備えてなり、
前記ドアアセンブリは、
前記ドアアセンブリの内側面に衣類を支持する支持ボディと、
前記支持ボディに向けて回転自在に設けられて前記衣類を押圧する押圧ボディと、
前記支持ボディと前記押圧ボディの間で前記支持ボディ又は前記押圧ボディに向けて回転自在に設けられ、両面で前記衣類を押圧するアイロン仕切り部と、を備える、衣類処理装置。
【請求項２】
前記アイロン仕切り部は、
前記支持ボディと前記押圧ボディの間に回転自在に設けられるアイロン仕切りボディと、
前記仕切りボディの両面のうちの何れかに備えられて前記衣類に熱を供給する加熱部と、を備えてなることを特徴とする、請求項１に記載の衣類処理装置。
【請求項３】
前記加熱部は、
前記アイロン仕切りボディの両面のうちの何れかに外部に露出するように備えられる加熱ボディと、
前記アイロン仕切りボディ及び前記加熱ボディのうちの何れかに備えられて前記加熱ボディを加熱する熱線と、を備えてなることを特徴とする、請求項２に記載の衣類処理装置。
【請求項４】
前記加熱部は、
前記アイロン仕切りボディの両面のうちの何れかに外部に露出するように備えられる加熱ボディと、
前記アイロン仕切りボディ及び前記加熱ボディのうちの何れかに備えられてスチームが供給される供給流路と、
前記加熱ボディを貫通して前記スチームが前記衣類に排出されるように備えられる複数の排出孔と、を備えてなることを特徴とする、請求項２に記載の衣類処理装置。
【請求項５】
前記供給流路は、
前記アイロン仕切りボディの高さ方向に沿って少なくとも１つ以上設けられる噴射流路を更に備えてなり、
前記排出孔は前記噴射流路の長手方向に沿って複数個が形成されることを特徴とする、請求項４に記載の衣類処理装置。
【請求項６】
前記キャビネット、前記機械室及び前記ドアアセンブリのうちの何れかに備えられてスチームを生成する補助スチーム供給部を更に備えてなり、
前記供給流路は、前記補助スチーム供給部と前記排出孔を連通するように備えられることを特徴とする、請求項４に記載の衣類処理装置。
【請求項７】
前記補助スチーム供給部は、
前記キャビネット、前記機械室及び前記ドアアセンブリのうちの何れかに着脱自在に備えられて水を収容する補助水タンクと、
前記水タンクの水を加熱してスチームを発生させる補助ヒーターと、
前記水タンクと前記供給流路を連通してスチームを排出する排出口と、を備えてなることを特徴とする、請求項６に記載の衣類処理装置。
【請求項８】
前記アイロン仕切り部は、
前記アイロン仕切りボディの両面のうちの何れかに外部に露出するように備えられる加熱ボディと、
前記アイロン仕切りボディ及び前記加熱ボディのうちの何れかに備えられて前記加熱ボディを加熱する熱線と、
前記アイロン仕切りボディ及び前記加熱ボディのうちの何れかに備えられてスチームが供給される供給流路と、を備えてなり、
前記熱線は前記供給流路との干渉を防止するために前記供給流路の外郭にそって形成されることを特徴とする、請求項６に記載の衣類処理装置。
【請求項９】
さらに前記ドアアセンブリは、
前記アイロン仕切り部と前記支持ボディを回転自在に結合する連結ヒンジと、
前記連結ヒンジに備えられて前記熱線や前記供給流路が通過する通路部と、を備えてなることを特徴とする、請求項８に記載の衣類処理装置。
【請求項１０】
前記アイロン仕切り部は、
前記機械室に連通して、前記機械室から供給された熱風又は水分を排出するように備えられることを特徴とする、請求項１に記載の衣類処理装置。
【請求項１１】
さらに前記ドアアセンブリは、
前記支持ボディに備えられて前記押圧ボディを固定する結合フックと、
前記押圧ボディに備えられて前記結合フックに固定されるフック結合部と、を備えてなり、
前記支持ボディと前記押圧ボディが前記アイロン仕切り部から離隔することを防止することを特徴とする、請求項１に記載の衣類処理装置。
【請求項１２】
前記アイロン仕切り部の上部及び下部のうちの何れかに備えられて前記衣類を固定する載置部を更に備えてなることを特徴とする、請求項５に記載の衣類処理装置。
【請求項１３】
前記載置部は、
前記アイロン仕切り部の上部及び下部のうちの何れかに回転自在に設けられて衣類を支持する載置ボディと、
前記載置ボディに結合して前記衣類を固定する固定ボディと、を備えてなることを特徴とする、請求項１２に記載の衣類処理装置。
【請求項１４】
前記載置部は、
前記押圧ボディの上部に回転自在に設けられて前記衣類を固定する第１載置部と、
前記押圧ボディの下部に回転自在に設けられて前記衣類を固定する第２載置部と、を備えてなり、
前記第１載置部は、
前記押圧ボディの上部に回転自在に設けられて前記衣類を支持する第１載置ボディと、
前記第１載置ボディに回転自在に設けられて前記衣類を固定する第１固定ボディと、を備えてなり、
前記第２載置部は、
前記押圧ボディの下部に回転自在に設けられて前記衣類を支持する第２載置ボディと、
前記第２載置ボディに回転自在に設けられて前記衣類を固定する第２固定ボディと、を備えてなることを特徴とする、請求項１２に記載の衣類処理装置。
【請求項１５】
前記第２載置ボディは、前記衣類の第１部分が挿通する第１貫通スリットを備えてなり、
前記第２固定ボディは、前記衣類の第２部分が挿通する第２貫通スリットを備えてなることを特徴とする、請求項１４に記載の衣類処理装置。
【請求項１６】
前記第１載置ボディは、
一面が万曲して形成され、前記衣類の一部が収容されて支持される収容溝を備えてなることを特徴とする、請求項１４に記載の衣類処理装置。
【国際調査報告】
2021517494.tif 000024
2021517494.tif 000025
2021517494.tif 000026
2021517494.tif 000027
2021517494.tif 000028
2021517494.tif 000029